(57)【要約】  拡張アップリンクを用いてＵＥ動作をサポートするための技法について説明する。ＵＥは、拡張アップリンクのためのランダムアクセスのために利用可能なシグナチャの第１のセットから第１のシグナチャを選択し、第１のシグナチャに基づいてアクセスプリアンブルを生成し、非アクティブ状態で動作している間、ランダムアクセスのためにアクセスプリアンブルを送信する。ＵＥは、ノードＢから取得インジケータチャネル（ＡＩＣＨ）上で第１のシグナチャのための取得インジケータ（ＡＩ）を受信する。ＡＩが第１の所定値を有する場合、ＵＥは、第１のシグナチャのためのデフォルト拡張専用チャネル（Ｅ−ＤＣＨ）リソース構成を使用する。ＵＥは、ＡＩが第２の所定値を有する場合、拡大取得インジケータ（ＥＡＩ）と第２のシグナチャとに基づいて、ＵＥに割り当てられたＥ−ＤＣＨリソース構成を決定する。いずれの場合も、ＵＥは、割り当てられたＥ−ＤＣＨリソース構成を使用して、データをノードＢに送信する。【選択図】  図２
2011509607.tif 000002
【特許請求の範囲】
【請求項１】
ワイヤレス通信のための方法であって、
ランダムアクセスに利用可能なシグナチャの第１のセットから第１のシグナチャを選択することと、
前記第１のシグナチャに基づいてアクセスプリアンブルを生成することと、
非アクティブ状態において動作しているユーザ機器（ＵＥ）によるランダムアクセスのための前記アクセスプリアンブルを送信することと、
前記第１のシグナチャのための取得インジケータ（ＡＩ）を取得インジケータチャネル（ＡＩＣＨ）上でノードＢから受信することと、
前記ＡＩに基づいて前記ＵＥのための割り当てられたリソースを決定することと、
前記割り当てられたリソースを使用して前記ノードＢにデータを送信することと、
を備える方法。
【請求項２】
前記割り当てられたリソースを使用して前記ノードＢにデータを送信する間、前記非アクティブ状態のままでいることをさらに備える、請求項１の方法。
【請求項３】
前記非アクティブ状態はＣＥＬＬ＿ＦＡＣＨ状態またはアイドルモードを含む、請求項１の方法。
【請求項４】
前記ＵＥのための割り当てられたリソースを決定することは、
前記第１のシグナチャのためのデフォルトリソースを決定することと、
前記ＡＩが第１の所定値を有する場合、前記デフォルトリソースを前記割り当てられたリソースとして使用することと、
を備える、請求項１の方法。
【請求項５】
前記ＵＥのための割り当てられたリソースを決定することは、
拡大取得インジケータ（ＥＡＩ）およびシグナチャの第２のセットから選択される第２のシグナチャを受信することと、
前記ＡＩが第２の所定値を有する場合、前記ＥＡＩおよび前記第２のシグナチャに基づいて前記ＵＥのための前記割り当てられたリソースを決定することと、
をさらに備える、請求項４の方法。
【請求項６】
前記ＡＩおよび前記ＥＡＩは、単一のチャネル化コードを使用して送信される、請求項５の方法。
【請求項７】
前記ＡＩは第１のチャネル化コードを使用して送信され、前記ＥＡＩは第２のチャネル化コードを使用して送信される、請求項５の方法。
【請求項８】
ワイヤレス通信のための方法であって、
拡張アップリンクのためのランダムアクセスのために利用可能なシグナチャの第１のセットから第１のシグナチャを選択することと、
前記第１のシグナチャに基づいてアクセスプリアンブルを生成することと、
ＣＥＬＬ＿ＦＡＣＨ状態またはアイドルモードにおいて動作しているユーザ機器（ＵＥ）によるランダムアクセスのために前記アクセスプリアンブルを送信することと、
前記第１のシグナチャのための取得インジケータ（ＡＩ）を取得インジケータチャネル（ＡＩＣＨ）上でノードＢから受信することと、
前記ＡＩが第１の所定値を有する場合、前記ＵＥのための割り当てられたＥ−ＤＣＨリソース構成として前記第１のシグナチャのためのデフォルト拡張専用チャネル（Ｅ−ＤＣＨ）リソース構成を使用することと、
前記割り当てられたＥ−ＤＣＨリソース構成を使用して前記ノードＢにデータを送信することと、
を備える方法。
【請求項９】
拡大取得インジケータ（ＥＡＩ）およびシグナチャの第２のセットから選択される第２のシグナチャを受信することと、
前記ＡＩが第２の所定値を有する場合、前記ＥＡＩの値と前記第２のシグナチャのインデックスとに基づいて、前記ＵＥのための前記割り当てられたＥ−ＤＣＨリソース構成を決定することと、
をさらに備える、請求項８の方法。
【請求項１０】
前記割り当てられたＥ−ＤＣＨリソース構成を決定することは、
前記ＥＡＩの前記値および前記第２のシグナチャの前記インデックスに基づいてオフセットを決定することと、
前記オフセットおよび前記第１のシグナチャのための前記デフォルトＥ−ＤＣＨリソース構成のインデックスに基づいて、前記割り当てられたＥ−ＤＣＨリソース構成のインデックスを決定することと、
を備える、請求項９の方法。
【請求項１１】
前記割り当てられたＥ−ＤＣＨリソース構成を決定することは、
前記ＥＡＩの前記値および前記第２のシグナチャの前記インデックスに基づいて前記割り当てられたＥ−ＤＣＨリソース構成のインデックスを決定すること、
を備える、請求項９の方法。
【請求項１２】
シグナチャパターンの第１のセットに基づいて前記ＡＩを検出することと、
シグナチャパターンの第２のセットに基づいて前記ＥＡＩを検出することと
をさらに備え、前記第１および第２のセット中の前記シグナチャパターンが互いに直交する、請求項９の方法。
【請求項１３】
拡大取得インジケータ（ＥＡＩ）およびシグナチャの第２のセットから選択される第２のシグナチャを受信することと、
前記ＡＩが第２の所定値を有し、前記ＥＡＩが指定された値を有し、前記第２のシグナチャが指定されたシグナチャである場合、前記アクセスプリアンブルに対し否定応答（ＮＡＣＫ）が送信されたと決定することと、
をさらに備える、請求項８の方法。
【請求項１２】
少なくとも1つのプロセッサを備えたワイヤレス通信のための装置であって、前記少なくとも１つのプロセッサは、
拡張アップリンクのためのランダムアクセスのために利用可能なシグナチャの第１のセットから第１のシグナチャを選択し、
前記第１のシグナチャに基づいてアクセスプリアンブルを生成し、
ＣＥＬＬ＿ＦＡＣＨ状態またはアイドルモードにおいて動作しているユーザ機器（ＵＥ）によるランダムアクセスのための前記アクセスプリアンブルを送信し、
ノードＢから取得インジケータチャネル（ＡＩＣＨ）上で前記第１のシグナチャのための取得インジケータ（ＡＩ）を受信し、
前記ＡＩが第１の所定値を有する場合、前記ＵＥのための割り当てられたＥ−ＤＣＨリソース構成として、前記第１のシグナチャのためのデフォルト拡張専用チャネル（Ｅ−ＤＣＨ）リソース構成を使用し、
前記割り当てられたＥ−ＤＣＨリソース構成を使用して前記ノードＢにデータを送信する、装置。
【請求項１３】
前記少なくとも１つのプロセッサは、
拡大取得インジケータ（ＥＡＩ）およびシグナチャの第２のセットから選択される第２のシグナチャを受信し、
前記ＡＩが第２の所定値を有する場合、前記ＥＡＩの値および前記第２のシグナチャのインデックスに基づいて前記ＵＥのための前記割り当てられたＥ−ＤＣＨリソース構成を決定する、
請求項１２の装置。
【請求項１４】
前記少なくとも１つのプロセッサは、
前記ＥＡＩの前記値および前記第２のシグナチャの前記インデックスに基づいてオフセットを決定し、
前記オフセットおよび前記第１のシグナチャのための前記デフォルトＥ−ＤＣＨリソース構成のインデックスに基づいて前記割り当てられたＥ−ＤＣＨリソース構成のインデックスを決定する、
請求項１３の装置。
【請求項１５】
前記少なくとも１つのプロセッサは、
拡大取得インジケータ（ＥＡＩ）およびシグナチャの第２のセットから選択される第２のシグナチャを受信し、
前記ＡＩが第２の所定値を有し、前記ＥＡＩが指定された値を有し、前記第２のシグナチャが指定されたシグナチャである場合、前記アクセスプリアンブルに対し否定応答（ＮＡＣＫ）が送信されたと決定する、
請求項１２の装置。
【請求項１６】
ワイヤレス通信のための装置であって、
拡張アップリンクのためのランダムアクセスに利用可能なシグナチャの第１のセットから第１のシグナチャを選択する手段と、
前記第１のシグナチャに基づいてアクセスプリアンブルを生成する手段と、
ＣＥＬＬ＿ＦＡＣＨ状態またはアイドルモードにおいて動作しているユーザ機器（ＵＥ）によるランダムアクセスのための前記アクセスプリアンブルを送信する手段と、
ノードＢから取得インジケータチャネル（ＡＩＣＨ）上で前記第１のシグナチャのための取得インジケータ（ＡＩ）を受信する手段と、
前記ＡＩが第１の所定の値を有する場合、前記ＵＥのために割り当てられるＥ−ＤＣＨリソース構成として前記第１のシグナチャのためのデフォルト拡張専用チャネル（Ｅ−ＤＣＨ）リソース構成を使用する手段と、
前記割り当てられたＥ−ＤＣＨリソース構成を使用して前記ノードＢにデータを送信する手段と、
を備える装置。
【請求項１７】
拡大取得インジケータ（ＥＡＩ）およびシグナチャの第２のセットから選択される第２のシグナチャを受信する手段と、
前記ＡＩが第２の所定値を有する場合、前記ＥＡＩの値および前記第２のシグナチャのインデックスに基づいて前記ＵＥのための前記割り当てられたＥ−ＤＣＨリソース構成を決定する手段と、
をさらに備える、請求項１６の装置。
【請求項１８】
前記割り当てられたＥ−ＤＣＨリソース構成を決定する手段は、
前記ＥＡＩの前記値と前記第２のシグナチャの前記インデックスとに基づいてオフセットを決定する手段と、
前記オフセットと前記第１のシグナチャのための前記デフォルトＥ−ＤＣＨリソース構成のインデックスとに基づいて前記割り当てられたＥ−ＤＣＨリソース構成のインデックスを決定する手段と、
を備える、請求項１７の装置。
【請求項１９】
拡大取得インジケータ（ＥＡＩ）とシグナチャの第２のセットから選択される第２のシグナチャとを受信する手段と、
前記ＡＩが第２の所定値を有し、前記ＥＡＩが指定された値を有し、前記第２のシグナチャが指定されたシグナチャである場合、前記アクセスプリアンブルに対し否定応答（ＮＡＣＫ）が送信されたと決定する手段と、
をさらに備える、請求項１６の装置。
【請求項２０】
コンピュータ読み取り可能媒体を含むコンピュータプログラム製品であって、
前記コンピュータ読み取り可能媒体は、
少なくとも１つのコンピュータに、拡張アップリンクのためのランダムアクセスのために利用可能なシグナチャの第１のセットから第１のシグナチャを選択させるコードと、
前記少なくとも１つのコンピュータに、前記第１のシグナチャに基づいてアクセスプリアンブルを生成させるコードと、
前記少なくとも１つのコンピュータに、ＣＥＬＬ＿ＦＡＣＨ状態またはアイドルモードにおいて動作しているユーザ機器（ＵＥ）によるランダムアクセスのための前記アクセスプリアンブルを送信させるコードと、
前記少なくとも１つのコンピュータに、前記第１のシグナチャのための取得インジケータ（ＡＩ）を取得インジケータチャネル（ＡＩＣＨ）上でノードＢから受信させるコードと、
前記少なくとも１つのコンピュータに、前記ＡＩが第１の所定値を有する場合、前記ＵＥのための割り当てられたＥ−ＤＣＨリソース構成として前記第１のシグナチャのためのデフォルト拡張専用チャネル（Ｅ−ＤＣＨ）リソース構成を使用させるコードと、
前記少なくとも１つのコンピュータに、前記割り当てられたＥ−ＤＣＨリソース構成を使用して前記ノードＢにデータを送信させるコードと、
を含む、コンピュータプログラム製品。
【請求項２１】
ワイヤレス通信のための方法であって、
ユーザ機器（ＵＥ）からアクセスプリアンブルを受信すること、前記アクセスプリアンブルは、ランダムアクセスのために利用可能なシグナチャの第１のセットから選択される第１のシグナチャに基づいて生成される、
前記アクセスプリアンブルを受信することに応答して前記ＵＥにリソースを割り当てること、
前記第１のシグナチャのための取得インジケータ（ＡＩ）を、前記アクセスプリアンブルの受信を示す値に設定すること、前記ＡＩの前記値は、さらに、前記ＵＥのための前記割り当てられたリソースを決定するために使用される、
前記ＡＩを取得インジケータチャネル（ＡＩＣＨ）上で前記ＵＥに送信すること、
前記割り当てられたリソースに基づいて前記ＵＥによって送信されたデータを受信すること、
を備える方法。
【請求項２２】
前記ＵＥにリソースを割り当てることは、前記デフォルトリソースが利用可能である場合、前記ＵＥに前記第１のシグナチャのためのデフォルトリソースを割り当てること、を備え、
前記ＡＩを設定することは、前記ＡＩを、前記デフォルトリソースが前記ＵＥに割り当てられていること示す第１の所定値に設定することを備える、
請求項２１の方法。
【請求項２３】
前記ＵＥにリソースを割り当てることは、前記デフォルトリソースが利用可能でない場合、利用可能なリソースのグループから選択されるリソースを割り当てることをさらに備え、
前記方法は、さらに、
拡大取得インジケータ（ＥＡＩ）を決定すること、および前記選択されたリソースおよび前記デフォルトリソースに基づいてシグナチャの第２のセットから第２のシグナチャを選択することと、
前記ＥＡＩおよび前記第２のシグナチャを前記ＵＥに送信することと、
を備える、請求項２２の方法。
【請求項２４】
ワイヤレス通信のための方法であって、
ＣＥＬＬ＿ＦＡＣＨ状態またはアイドルモードにおいて動作しているユーザ機器（ＵＥ）からアクセスプリアンブルを受信すること、前記アクセスプリアンブルは、拡張アップリンクのためのランダムアクセスのために利用可能なシグナチャの第１のセットから選択される第１のシグナチャに基づいて生成される、
前記第１のシグナチャのためのデフォルト拡張専用チャネル（Ｅ−ＤＣＨ）リソース構成が前記ＵＥに割り当てられている場合、前記第１のシグナチャのための取得インジケータ（ＡＩ）を第１の所定値に設定すること、
前記ＡＩを取得インジケータチャネル（ＡＩＣＨ）上で前記ＵＥに送信すること、
前記ＵＥに割り当てられた前記Ｅ−ＤＣＨリソース構成に基づいて前記ＵＥによって送信されたデータを受信すること、
を備える方法。
【請求項２５】
前記デフォルトＥ−ＤＣＨリソース構成が利用可能でない場合、
利用可能なＥ−ＤＣＨリソース構成のグループからＥ−ＤＣＨリソース構成を選択すること、
拡大取得インジケータ（ＥＡＩ）の値を決定すること、および、前記選択されたＥ−ＤＣＨリソース構成に基づいてシグナチャの第２のセットから第２のシグナチャを選択すること、
前記第１のシグナチャのための前記ＡＩを、前記選択されたＥ−ＤＣＨリソース構成は前記ＵＥに割り当てられていることを示す第２の所定値に設定すること、
前記ＥＡＩおよび前記第２のシグナチャを前記ＵＥに送信すること、
をさらに備える、請求項２４の方法。
【請求項２６】
前記ＥＡＩの前記値を決定すること、および、前記第２のシグナチャを選択することは、
前記選択されたＥ−ＤＣＨリソース構成のためのインデックスと、前記デフォルトＥ−ＤＣＨリソース構成のためのインデックスとの間のオフセットを決定すること、
前記ＥＡＩの前記値を決定すること、および、前記オフセットに基づいて前記第２のシグナチャを選択すること、
を備える、請求項２５の方法。
【請求項２７】
前記ＥＡＩの前記値を決定すること、および、前記第２のシグナチャを前記選択することは、
前記ＥＡＩの前記値を決定すること、および、前記選択されたＥ−ＤＣＨリソース構成のインデックスに基づいて前記第２のシグナチャを選択すること、
を備える、請求項２５の方法。
【請求項３０】
第１のシーケンスを得るために、前記ＡＩにシグナチャパターンの第１のセットからの第１のシグナチャパターンを乗算すること、前記第１のシグナチャパターンは前記第１のシグナチャに関連付けられる、
第２のシーケンスを得るために、前記ＥＡＩにシグナチャパターンの第２のセットからの第２のシグナチャパターンを乗算すること、前記第２のシグナチャパターンは前記第２のシグナチャに関連付けられ、前記第１および第２のセット中の前記シグナチャパターンは互いに直交する、
前記第１および第２のシーケンスを前記ＡＩＣＨのためのチャネル化コードを用いて拡散すること、
をさらに備える、請求項２５の方法。
【請求項３１】
前記第１のシグナチャのための前記ＡＩを第２の所定値に設定すること、
拡大取得インジケータ（ＥＡＩ）を指定された値に設定すること、
前記アクセスプリアンブルに対し否定応答（ＮＡＣＫ）が送信されることを示すために、シグナチャの第２のセットから指定されたシグナチャを選択すること、
前記ＥＡＩおよび前記指定されたシグナチャを前記ＵＥに送信すること、
をさらに備える、請求項２４の方法。
【請求項２８】
少なくとも１つのプロセッサを備える、ワイヤレス通信のための装置であって、
前記少なくとも１つのプロセッサは、
ＣＥＬＬ＿ＦＡＣＨ状態またはアイドルモードにおいて動作しているユーザ機器（ＵＥ）からアクセスプリアンブルを受信し、前記アクセスプリアンブルは、拡張アップリンクのためのランダムアクセスのために利用可能なシグナチャの第１のセットから選択される第１のシグナチャに基づいて生成され、
前記第１のシグナチャのためのデフォルト拡張専用チャネル（Ｅ−ＤＣＨ）リソース構成が前記ＵＥに割り当てられている場合、前記第１のシグナチャのための取得インジケータ（ＡＩ）を第１の所定値に設定し、
前記ＡＩを取得インジケータチャネル（ＡＩＣＨ）上で前記ＵＥに送信し、
前記ＵＥに割り当てられた前記Ｅ−ＤＣＨリソース構成に基づいて前記ＵＥによって送信されたデータを受信する、
装置。
【請求項２９】
前記少なくとも１つのプロセッサは、
前記デフォルトＥ−ＤＣＨリソース構成が利用可能でない場合、利用可能なＥ−ＤＣＨリソース構成のグループからＥ−ＤＣＨリソース構成を選択し、
拡大取得インジケータ（ＥＡＩ）の値を決定し、前記選択されたＥ−ＤＣＨリソース構成に基づいてシグナチャの第２のセットから第２のシグナチャを選択し、
前記選択されたＥ−ＤＣＨリソース構成が前記ＵＥに割り当てられていることを示すために、前記第１のシグナチャのための前記ＡＩを第２の所定の値に設定し、
前記ＥＡＩおよび前記第２のシグナチャを前記ＵＥに送信する、
請求項２８の装置。
【請求項３０】
前記少なくとも１つのプロセッサは、
前記選択されたＥ−ＤＣＨリソース構成のためのインデックスと前記デフォルトＥ−ＤＣＨリソース構成のためのインデックスとの間のオフセットを決定し、
前記ＥＡＩの前記値を決定し、前記オフセットに基づいて前記第２のシグナチャを選択する
請求項２９の装置。
【請求項３１】
前記少なくとも１つのプロセッサは、
前記第１のシグナチャのための前記ＡＩを、第２の所定の値に設定し、
拡大取得インジケータ（ＥＡＩ）を指定された値に設定し、
前記アクセスプリアンブルに対し否定応答（ＮＡＣＫ）が送信されたことを示すために、シグナチャの第２のセットから指定されたシグナチャを選択し、
前記ＥＡＩおよび前記指定されたシグナチャを前記ＵＥに送信する、
請求項２８の装置。
【請求項３２】
ワイヤレス通信のための装置であって、
ＣＥＬＬ＿ＦＡＣＨ状態またはアイドルモードにおいて動作しているユーザ機器（ＵＥ）からアクセスプリアンブルを受信する手段、前記アクセスプリアンブルは、拡張アップリンクのためのランダムアクセスのために利用可能なシグナチャの第１のセットから選択される第１のシグナチャに基づいて生成される、
前記第１のシグナチャのためのデフォルト拡張専用チャネル（Ｅ−ＤＣＨ）リソース構成が前記ＵＥに割り当てられている場合、前記第１のシグナチャのための取得インジケータ（ＡＩ）を第１の所定値に設定する手段、
前記ＡＩを取得インジケータチャネル（ＡＩＣＨ）上で前記ＵＥに送信する手段、
前記ＵＥに割り当てられた前記Ｅ−ＤＣＨリソース構成に基づいて前記ＵＥによって送信されたデータを受信する手段、
を備える装置。
【請求項３３】
前記デフォルトＥ−ＤＣＨリソース構成が利用可能でない場合、利用可能なＥ−ＤＣＨリソース構成のグループからＥ−ＤＣＨリソース構成を選択する手段、
拡大取得インジケータ（ＥＡＩ）の値を決定し、前記選択されたＥ−ＤＣＨリソース構成に基づいてシグナチャの第２のセットから第２のシグナチャを選択する手段、
前記選択されたＥ−ＤＣＨリソース構成が前記ＵＥに割り当てられていることを示すために、前記第１のシグナチャのための前記ＡＩを第２の所定値に設定する手段、
前記ＥＡＩおよび前記第２のシグナチャを前記ＵＥに送信する手段、
をさらに備える、請求項３２の装置。
【請求項３４】
前記ＥＡＩの前記値を決定し、前記第２のシグナチャを選択する手段は、
前記選択されたＥ−ＤＣＨリソース構成のためのインデックスと前記デフォルトＥ−ＤＣＨリソース構成のためのインデックスとの間のオフセットを決定する手段、
前記ＥＡＩの前記値を決定し、前記オフセットに基づいて前記第２のシグナチャを選択する手段、
を備える、請求項３３の装置。
【請求項３５】
前記第１のシグナチャのための前記ＡＩを第２の所定値に設定し、拡大取得インジケータ（ＥＡＩ）を指定された値に設定し、前記アクセスプリアンブルに対し否定応答（ＮＡＣＫ）が送信されたことを示すために、シグナチャの第２のセットから指定されたシグナチャを選択する手段、
前記ＥＡＩおよび前記指定されたシグナチャを前記ＵＥに送信する手段、
をさらに備える、請求項３２の装置。
【請求項３６】
コンピュータ読み取り可能媒体を含むコンピュータプログラム製品であって、
前記コンピュータ読み取り可能媒体は、
少なくとも１つのコンピュータに、ＣＥＬＬ＿ＦＡＣＨ状態またはアイドルモードにおいて動作しているユーザ機器（ＵＥ）からアクセスプリアンブルを受信させるコード、前記アクセスプリアンブルは、拡張アップリンクのためのランダムアクセスのために利用可能なシグナチャの第１のセットから選択される第１のシグナチャに基づいて生成される、
前記少なくとも１つのコンピュータに、前記第１のシグナチャのためのデフォルト拡張専用チャネル（Ｅ−ＤＣＨ）リソース構成が前記ＵＥに割り当てられている場合、前記第１のシグナチャのための取得インジケータ（ＡＩ）を第１の所定値に設定させるコード、
前記少なくとも１つのコンピュータに、取得インジケータチャネル（ＡＩＣＨ）上で前記ＡＩを前記ＵＥに送信させるコード、
前記少なくとも１つのコンピュータに、前記ＵＥに割り当てられた前記Ｅ−ＤＣＨリソース構成に基づいて前記ＵＥによって送信されたデータを受信させるコード、
を備える、コンピュータプログラム製品。
【発明の詳細な説明】
【優先権の主張】
【０００１】
米国特許法第１１９条に基づく優先権の主張
本特許出願は、本出願の譲受人に譲渡され、参照により本明細書に明白に組み込まれる、共に「E-DCH RESOURCE ALLOCATION SCHEME IN CELL_FACH」と題する２００８年１月４日に出願された米国仮出願第６１／０１９，１９１号、および２００８年１月１７日に出願された米国仮出願第６１／０２１，８５７号の優先権を主張する。
【技術分野】
【０００２】
本開示は、一般に通信に関し、より詳細には、ワイヤレス通信システムにおいてリソースを割り当てるための技法に関する。
【背景技術】
【０００３】
ワイヤレス通信システムは、ボイス、ビデオ、パケットデータ、メッセージング、ブロードキャストなどの様々な通信サービスを提供するために広く展開されている。これらのシステムは、利用可能なシステムリソースを共有することによって複数のユーザをサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムがある。
【０００４】
ワイヤレス通信システムは、いくつかのユーザ装置（ＵＥ）の通信をサポートすることができるいくつかのノードＢを含むことができる。ＵＥは、ダウンリンクおよびアップリンクによってノードＢと通信することができる。ダウンリンク（または順方向リンク）はノードＢからＵＥへの通信リンクを指し、アップリンク（または逆方向リンク）はＵＥからノードＢへの通信リンクを指す。
【０００５】
ＵＥは、間欠的にアクティブになり、（ｉ）ノードＢとデータをアクティブに交換するためにアクティブ状態で動作するか、あるいは（ｉｉ）送信または受信すべきデータがないときに非アクティブ状態で動作する。ＵＥは、送信すべきデータがあるときはいつでも非アクティブ状態からアクティブ状態に遷移し、データを送信するための高速チャネル用のリソースを割り当てられる。しかしながら、状態遷移は、シグナリングオーバーヘッドを生じることがあり、データの送信を遅延させることもある。システム効率を改善し、遅延を低減するために、シグナリングの量を減少させることが望ましい。
【発明の概要】
【０００６】
非アクティブ状態用の拡張アップリンクを用いて効率的なＵＥ動作をサポートするための技法について、本明細書で説明する。拡張アップリンクは、アップリンク上の遅い共通チャネルよりも大きい送信能力を有する高速チャネルの使用を指す。ＵＥは、非アクティブ状態にある間に拡張アップリンクのための高速チャネル用のリソースを割り当てられ、非アクティブ状態において割り当てられたリソースを使用してデータをより効率的に送信することができる。
【０００７】
１つの設計では、ＵＥは、拡張アップリンクのためのランダムアクセスのために利用可能なシグナチャ（signature）の第１のセットから第１のシグナチャを選択する。ＵＥは、第１のシグナチャに基づいてアクセスプリアンブルを生成する。ＵＥは、非アクティブ状態、たとえば、ＣＥＬＬ＿ＦＡＣＨ状態またはアイドルモードで動作している間、ランダムアクセスのためのアクセスプリアンブルを送信する。ＵＥは、ノードＢから取得インジケータチャネル（ＡＩＣＨ:acquisition indicator channel）上で第１のシグナチャのための取得インジケータ（ＡＩ: acquisition indicator）を受信する。ＵＥは、ＡＩが第１の所定の値を有する場合、ＵＥのための割り当てられたＥ−ＤＣＨリソース構成として第１のシグナチャのためのデフォルト拡張専用チャネル（Ｅ−ＤＣＨ:enhanced dedicated channel）リソース構成を使用する。ＵＥはまた、ノードＢから、拡大取得インジケータ（ＥＡＩ：extended acquisition indicator）と、シグナチャの第２のセットから選択される第２のシグナチャとを受信する。ＵＥは、ＡＩが第２の所定の値を有する場合、ＥＡＩと第２のシグナチャとに基づいて、割り当てられたＥ−ＤＣＨリソース構成を決定する。いずれの場合も、ＵＥは、たとえば、非アクティブ状態のままである間、割り当てられたＥ−ＤＣＨリソース構成を使用して、ノードＢにデータを送信する。
【０００８】
本開示の様々な態様および特徴について以下でさらに詳細に説明する。
【図面の簡単な説明】
【０００９】
【図１】ワイヤレス通信システムを示す図。
【図２】無線リソース制御（ＲＲＣ）状態の状態図。
【図３】拡張アップリンクなしの動作の呼フローを示す図。
【図４】拡張アップリンクありの動作の呼フローを示す図。
【図５】Ｅ−ＤＣＨリソース割当ての設計を示す図。
【図６】拡張アップリンクのためのＵＥによって実行されるプロセスを示す図。
【図７】拡張アップリンクのためのノードＢによって実行されるプロセスを示す図。
【図８】ＵＥによるランダムアクセスを実行するためのプロセスを示す図。
【図９】ＵＥによるランダムアクセスを実行するためのプロセスを示す図。
【図１０】ノードＢによるランダムアクセスをサポートするためのプロセスを示す図。
【図１１】ノードＢによるランダムアクセスをサポートするためのプロセスを示す図。
【図１２】ＵＥおよびノードＢのブロック図。
【発明を実施するための形態】
【００１０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡ方式は、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ  ＣＤＭＡ（ＷＣＤＭＡ）およびＣＤＭＡの他の変形態を含む。ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．２０、ＩＥＥＥ８０２．１６（ＷｉＭＡＸ）、８０２．１１（ＷｉＦｉ）、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。明快のために、本技法のいくつかの態様について以下ではＷＣＤＭＡに関して説明し、以下の説明の大部分で３ＧＰＰ用語を使用する。
【００１１】
図１に、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）１０２とコアネットワーク１４０とを含む、ワイヤレス通信システム１００を示す。ＵＴＲＡＮ１０２は、いくつかのノードＢおよび他のネットワークエンティティを含むことができる。簡単のために、図１には、ＵＴＲＡＮ１０２について、ただ１つのノードＢ１２０と１つの無線ネットワークコントローラ（ＲＮＣ）１３０とを示してある。ノードＢは、ＵＥと通信する固定局とすることができ、拡張ノードＢ（ｅＮＢ：evolved Node B）、基地局、アクセスポイントなどと呼ばれることもある。ノードＢ１２０は、特定の地理的エリアのための通信カバレージを提供する。ノードＢ１２０のカバレージエリアは、複数の（たとえば、３つの）小エリアに区分できる。各小エリアは、それぞれのノードＢサブシステムによってサービスされる。３ＧＰＰでは、「セル」という用語は、ノードＢの最小カバレージエリアおよび／またはこのカバレージエリアにサービス提供しているノードＢサブシステムを指す場合がある。
【００１２】
ＲＮＣ１３０は、Ｉｕｂインターフェースを介してノードＢ１２０と他のノードＢとに結合し、これらのノードＢの調整および制御を行うことができる。ＲＮＣ１３０はまた、コアネットワーク１４０内のネットワークエンティティと通信することができる。コアネットワーク１４０は、ＵＥのための様々な機能およびサービスをサポートする様々なネットワークエンティティを含むことができる。
【００１３】
ＵＥ１１０は、ダウンリンクおよびアップリンクによってノードＢ１２０と通信することができる。ＵＥ１１０は、固定でも移動でもよく、移動局、端末、アクセス端末、加入者ユニット、局などと呼ばれることもある。ＵＥ１１０は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などとすることができる。
【００１４】
３ＧＰＰリリース５以降はＨｉｇｈ−Ｓｐｅｅｄ  Ｄｏｗｎｌｉｎｋ  Ｐａｃｋｅｔ  Ａｃｃｅｓｓ（ＨＳＤＰＡ）をサポートしている。３ＧＰＰリリース６以降はＨｉｇｈ−Ｓｐｅｅｄ  Ｕｐｌｉｎｋ  Ｐａｃｋｅｔ  Ａｃｃｅｓｓ（ＨＳＵＰＡ）をサポートしている。ＨＳＤＰＡおよびＨＳＵＰＡは、それぞれダウンリンクおよびアップリンク上での高速パケットデータ送信を可能にするチャネルとプロシージャの組である。
【００１５】
ＷＣＤＭＡでは、ＵＥ向けのデータは、上位レイヤで１つまたは複数のトランスポートチャネルとして処理される。トランスポートチャネルは、ボイス、ビデオ、パケットデータなどの１つまたは複数のサービスのためのデータを搬送することができる。トランスポートチャネルは、物理レイヤにおいて物理チャネルにマッピングされる。物理チャネルは、様々なチャネル化コードを用いてチャネル化され、したがってコード領域において互いに直交する。ＷＣＤＭＡは、物理チャネルのためのチャネル化コードとして直交可変拡散率（ＯＶＳＦ）コードを使用する。
【００１６】
表１に、ＷＣＤＭＡにおけるいくつかのトランスポートチャネルを記載する。
【表１】
2011509607.tif 000003
【００１７】
表２に、ＷＣＤＭＡにおけるいくつかの物理チャネルを記載する。
【表２】
2011509607.tif 000004
2011509607.tif 000005
【００１８】
ＷＣＤＭＡは、簡単のために表１および表２には示していない他のトランスポートチャネルおよび物理チャネルをサポートする。ＷＣＤＭＡにおけるトランスポートチャネルおよび物理チャネルは、「Physical channels and mapping of transport channels onto physical channels (FDD)」と題する、公開されている３ＧＰＰ  ＴＳ  ２５．２１１に記載されている。
【００１９】
図２に、ＷＣＤＭＡにおけるＵＥのＲａｄｉｏ  Ｒｅｓｏｕｒｃｅ  Ｃｏｎｔｒｏｌ（ＲＲＣ）状態の状態図２００を示す。電源投入されると、ＵＥは、セル選択を実行して、ＵＥがそこからサービスを受けることができる適切なセルを見つける。ＵＥは、次いで、ＵＥに対するアクティビティがあるかどうかに応じてアイドルモード２１０または接続モード２２０に遷移する。アイドルモードでは、ＵＥは、システムに登録され、ページングメッセージをリスン（listen）し、必要に応じてシステムによりそのロケーションを更新する。接続モードでは、ＵＥは、そのＲＲＣ状態および構成に応じて、データを受信および／または送信することができる。
【００２０】
接続モードでは、ＵＥは、４つの可能なＲＲＣ状態、すなわち、ＣＥＬＬ＿ＤＣＨ状態２２２、ＣＥＬＬ＿ＦＡＣＨ状態２２４、ＣＥＬＬ＿ＰＣＨ状態２２６、およびＵＲＡ＿ＰＣＨ状態２２８のうちの１つにおいて動作し、ＵＲＡはＵｓｅｒ  Ｒｅｇｉｓｔｒａｔｉｏｎ  Ａｒｅａを表す。ＣＥＬＬ＿ＤＣＨ状態は、（ｉ）専用物理チャネルがダウンリンクおよびアップリンクに対してＵＥに割り当てられること、および（ｉｉ）専用および共有トランスポートチャネルの組合せがＵＥに対して利用可能であることを特徴とする。ＣＥＬＬ＿ＦＡＣＨ状態は、（ｉ）専用物理チャネルがＵＥに割り当てられないこと、（ｉｉ）デフォルトの共通または共有トランスポートチャネルが、システムにアクセスするために使用するためにＵＥに割り当てられること、および（ｉｉｉ）ＵＥが再構成メッセージなどのシグナリングのためにＦＡＣＨを継続的に監視することを特徴とする。ＣＥＬＬ＿ＰＣＨ状態およびＵＲＡ＿ＰＣＨ状態は、（ｉ）専用物理チャネルがＵＥに割り当てられないこと、（ｉｉ）ＵＥがページについてＰＣＨを定期的に監視すること、および（ｉｉｉ）ＵＥがアップリンク上で送信することを許可されないことを特徴とする。
【００２１】
接続モードにある間、システムは、ＵＥのアクティビティに基づいて４つのＲＲＣ状態のうちの１つになるようにＵＥに指令することができる。ＵＥは、（ｉ）ＲＲＣ接続解放プロシージャを実行することによって接続モードの任意の状態からアイドルモードに遷移し、（ｉｉ）ＲＲＣ接続確立プロシージャを実行することによってアイドルモードからＣＥＬＬ＿ＤＣＨまたはＣＥＬＬ＿ＦＡＣＨ状態に遷移し、（ｉｉｉ）再構成プロシージャを実行することによって接続モードにおいてＲＲＣ状態間を遷移する。
【００２２】
ＷＣＤＭＡにおけるＵＥのモードおよび状態は、公開されている「Radio Resource Control (RRC); Protocol Specification」と題する３ＧＰＰ  ＴＳ  ２５．３３１に記載されている。ＲＲＣ状態との間ならびにＲＲＣ状態間で遷移するための様々のプロシージャも３ＧＰＰ  ＴＳ  ２５．３３１に記載されている。
【００２３】
ＵＥ１１０は、交換すべき、たとえば、送信または受信すべきデータがないとき、ＣＥＬＬ＿ＦＡＣＨ状態において動作する。ＵＥ１１０は、交換すべきデータがあるときはいつでもＣＥＬＬ＿ＦＡＣＨ状態からＣＥＬＬ＿ＤＣＨ状態に遷移し、データを交換した後、ＣＥＬＬ＿ＦＡＣＨ状態に戻る。ＵＥ１１０は、ＣＥＬＬ＿ＦＡＣＨ状態からＣＥＬＬ＿ＤＣＨ状態に遷移するために、ランダムアクセスプロシージャおよびＲＲＣ再構成プロシージャを実行する。ＵＥ１１０は、これらのプロシージャのためのシグナリングメッセージを交換する。ＷＣＤＭＡの場合、リソースは、通常、メッセージ交換を介してＲＮＣによって割り当てられ、これはシグナリングオーバーヘッドとセットアップ遅延の両方を生じる可能性がある。
【００２４】
図３に、ＣＥＬＬ＿ＦＡＣＨ状態においてＲＡＣＨを使用するデータ送信のための呼フロー３００を示す。ＵＥ１１０は、ＣＥＬＬ＿ＦＡＣＨ状態において動作し、データを送信することを望む。ＵＥ１１０は、ランダムアクセスプロシージャを実行し、ＰＲＡＣＨ上のランダムアクセスのために利用可能なシグナチャ（signature）のセットから１つのシグナチャをランダムに選択する。利用可能なシグナチャは、プリアンブルシグナチャ、ＰＲＡＣＨシグナチャなどと呼ばれることもある。選択されたシグナチャは、ランダムアクセスプロシージャのための一時的なＵＥ識別情報として使用される。ＵＥ１１０は、選択されたシグナチャに基づいてアクセスプリアンブルを生成し、アップリンク上でアクセスプリアンブルを送信する（ステップ１）。アクセスプリアンブルは、ＰＲＡＣＨプリアンブル、ＲＡＣＨプリアンブルなどと呼ばれることもある。ＷＣＤＭＡの場合、１６チップのシグナチャを２５６回繰り返すことによって４０９６チップのアクセスプリアンブルが生成される。ノードＢ１２０は、ＵＥ１１０からアクセスプリアンブルを受信し、ＡＩＣＨ上で取得インジケータ（ＡＩ）をＵＥ１１０に戻す（ステップ２）。ＡＩは、ＵＥ１１０によってアクセスプリアンブル中で送信されたシグナチャに対する肯定応答を示す。
【００２５】
ＵＥ１１０は、次いで、遅いＰＲＡＣＨを使用して、トラフィック量測定値（ＴＶＭ）またはバッファサイズを含んでいる測定値報告メッセージをＲＮＣ１３０に送信する（ステップ３）。ＲＮＣ１３０は、ＵＥ１１０のためのＲＲＣ接続をセットアップし、無線リンクセットアップ要求メッセージをノードＢ１２０に送信する（ステップ４）。ＲＮＣ１２０は、ＵＥ１１０のための無線リンクをセットアップし、無線リンクセットアップ応答メッセージをノードＢ１３０に送信する（ステップ５）。ＲＮＣ１３０は、ノードＢ１２０とシグナリングメッセージを交換して、ＵＥ１１０のためのＩｕｂベアラを確立し（ステップ６）、ダウンリンクおよびアップリンクのためのＩｕｂベアラを同期させる（ステップ７）。ＲＮＣ１３０は、次いで、専用リソースを含んでいるＲＲＣ接続セットアップメッセージをＵＥ１１０に送信する（ステップ８）。ＵＥ１１０は、ＲＲＣ接続セットアップメッセージを受信すると、ＣＥＬＬ＿ＤＣＨ状態に遷移し、ＲＲＣ接続セットアップ完了メッセージをＲＮＣ１３０に戻す（ステップ９）。
【００２６】
ＵＥ１１０は、次いで、割り当てられたアップリンクリソースを使用して、データを送信する（ステップ１０）。しばらくして、ＵＥ１１０は、ＲＮＣ１３０とシグナリングメッセージを交換して、割り当てられたリソースを解放し、次いで、ＣＥＬＬ＿ＤＣＨ状態からＣＥＬＬ＿ＦＡＣＨ状態に戻る。（ステップ１１）
図３に示すように、ＵＥ１１０、ノードＢ１２０、およびＲＮＣ１３０は、アップリンク上でのデータ送信のためにＵＥ１１０にアップリンクリソースを割り当てるために、様々なシグナリングメッセージを交換する。メッセージ交換は、シグナリングオーバーヘッドを増加させ、ＵＥ１１０によるデータの送信をさらに遅延させることがある。多くの場合、ＵＥ１１０は、送信すべき小さいメッセージまたは少量のデータを有し、シグナリングオーバーヘッドは、これらの場合、特に高くなる。さらに、ＵＥ１１０は小さいメッセージまたは少量のデータを周期的に送信することがあり、ＵＥ１１０がデータを送信する必要があるたびに呼フロー３００を実行することは、極めて非効率的である。
【００２７】
一態様では、非アクティブ状態におけるＵＥ動作を改善するために拡張アップリンク（ＥＵＬ）を提供する。一般に、非アクティブ状態は、ＵＥがノードＢと通信するための専用リソースを割り当てられない状態またはモードである。ＲＲＣの場合、非アクティブ状態は、ＣＥＬＬ＿ＦＡＣＨ状態、ＣＥＬＬ＿ＰＣＨ状態、ＵＲＡ＿ＰＣＨ状態、またはアイドルモードを備える。非アクティブ状態は、ＣＥＬＬ＿ＤＣＨ状態などのアクティブ状態とは対照的であり、アクティブ状態では、ＵＥは、ノードＢとの通信のための専用リソースを割り当てられる。
【００２８】
非アクティブ状態用の拡張アップリンクは、拡張ランダムアクセスチャネル（ＥＲＡＣＨ：Enhanced Random Access Channel）、ＣＥＬＬ＿ＦＡＣＨ状態およびアイドルモードにおける拡張アップリンク、拡張アップリンクプロシージャなどと呼ばれることもある。ＷＣＤＭＡの場合、拡張アップリンクは、以下の特性を有する。
【００２９】
・アイドルモード、ＣＥＬＬ＿ＦＡＣＨ状態、ＣＥＬＬ＿ＰＣＨ状態およびＵＲＡ＿ＰＣＨ状態におけるユーザプレーンおよび制御プレーンの待ち時間を低減する。
【００３０】
・ＨＳＵＰＡを使用して、ＣＥＬＬ＿ＦＡＣＨ状態、ＵＲＡ＿ＰＣＨ状態およびＣＥＬＬ＿ＰＣＨ状態におけるＵＥのより高いピークレートをサポートする。
【００３１】
・ＣＥＬＬ＿ＦＡＣＨ状態、ＣＥＬＬ＿ＰＣＨ状態およびＵＲＡ＿ＰＣＨ状態からＣＥＬＬ＿ＤＣＨ状態への状態遷移遅延を低減する。
【００３２】
拡張アップリンクの場合、ＵＥ１１０は、ＵＥによって送信されたアクセスプリアンブルに応答してアップリンク上でのデータ送信のためのＥ−ＤＣＨリソースを割り当てられる。一般に、拡張アップリンクのためのＵＥ１１０には、任意のリソースが割り当てられてよい。１つの設計では、割り当てられたＥ−ＤＣＨリソースは、以下を含む。
【００３３】
・Ｅ−ＤＣＨコード  Ｅ−ＤＰＤＣＨ上でデータを送信するために使用する１つまたは複数のＯＶＳＦコード。
【００３４】
・Ｅ−ＡＧＣＨコード  Ｅ−ＡＧＣＨ上で絶対グラント（absolute grant）を受信するＯＶＳＦコード。
【００３５】
・Ｅ−ＲＧＣＨコード  Ｅ−ＲＧＣＨ上で相対グラント(relative grant)を受信するＯＶＳＦコード。
【００３６】
・Ｆ−ＤＰＣＨ位置  アップリンク上でＵＥ１１０の送信電力を調整する電力制御コマンドを受信するロケーション。
【００３７】
拡張アップリンクのためのＵＥ１１０には、他のリソースが割り当てられてもよい。
【００３８】
図４に、拡張アップリンクありの動作のための呼フロー４００の設計を示す。ＵＥ１１０は、ＣＥＬＬ＿ＦＡＣＨ状態において動作し、少量のデータを送信することを望む。ＵＥ１１０は、シグナチャをランダムに選択し、選択されたシグナチャに基づいてアクセスプリアンブルを生成し、ＰＲＡＣＨ上でアクセスプリアンブルを送信する（ステップ１）。ノードＢ１２０は、アクセスプリアンブルを受信し、ＵＥ１１０にＥ−ＤＣＨリソースを割り当てり、ＡＩならびにＥ−ＤＣＨリソース割当てをＡＩＣＨ上でＵＥ１１０に送信する（ステップ２）。ノードＢ１２０は衝突検出および解決を実行する（図４には示されていない）。
【００３９】
ＵＥ１１０は、ＡＩＣＨからＡＩおよびＥ−ＤＣＨリソース割当てを受信し、割り当てられたＥ−ＤＣＨリソースを使用して、データを送信する（ステップ３）。ＵＥ１１０は、ＣＥＬＬ＿ＦＡＣＨ状態のままであり、状態遷移のためにＲＮＣ１３０とＲＲＣシグナリングを交換することを回避する。図４に示す設計では、ノードＢ１２０は、割り当てられたＥ−ＤＣＨリソースを割当て解除するために、リソース解放メッセージをＵＥ１１０に送信する（ステップ４）。ＵＥ１１０は、割り当てられたＥ−ＤＣＨリソースを解放し、リソース解放完了メッセージを戻す（ステップ５）。別の設計では、ＵＥ１１０は、割り当てられたＥ−ＤＣＨリソースのリリースを開始する。さらに別の設計では、割り当てられたＥ−ＤＣＨリソースは、所定の時間の間有効であり、これらのリソースを解放するためにシグナリングメッセージを交換する必要なしに、自動的に解放される。
【００４０】
割り当てられたＥ−ＤＣＨリソースは、様々な方法でＵＥ１１０に搬送される。割り当てられたＥ−ＤＣＨリソースを搬送するためのいくつかの例示的な設計について、以下で説明する。
【００４１】
図５に、拡張アップリンクのためのＡＩＣＨに基づくＥ−ＤＣＨリソース割り当ての設計を示す。ＷＣＤＭＡでは、各リンクの送信タイムラインは無線フレームのユニットに区分され、各無線フレームは１０ミリ秒（ｍｓ）をカバーする。ＰＲＡＣＨの場合、無線フレームの各対は、０〜１４のインデックスをもつ１５個のＰＲＡＣＨアクセススロットに区分される。ＡＩＣＨの場合、無線フレームの各対は、０〜１４のインデックスをもつ１５個のＡＩＣＨアクセススロットに区分される。各ＰＲＡＣＨアクセススロットは、τｐ−ａ＝７６８０チップ（または２ｍｓ）離れた、対応するＡＩＣＨアクセススロットに関連付けられる。
【００４２】
ＵＥ１１０は、ランダムアクセスのための利用可能なシグナチャのセットからシグナチャを選択し、選択されたシグナチャに基づいてアクセスプリアンブルを生成し、そのアクセスプリアンブルを、ランダムアクセス送信のために利用可能なＰＲＡＣＨアクセススロット中でＰＲＡＣＨ上で送信する。ＵＥ１１０は、次いで、対応するＡＩＣＨアクセススロット中でＡＩＣＨ上で応答をリスン(listen)する。応答がＡＩＣＨ上で受信されない場合、ＵＥ１１０は、少なくともτｐ−ｐ＝１５，３６０チップ（または４ｍｓ）の期間の後に、アクセスプリアンブルをＰＲＡＣＨ上でより高い送信電力で再送信する。図５に示す例では、ＵＥ１１０は、ＡＩＣＨアクセススロット３中でＡＩＣＨ上で、割り当てられたＥ−ＤＣＨリソースを用いて応答を受信する。割り当てられたＥ−ＤＣＨリソースは、以下で説明するように、様々な方法で搬送される。
【００４３】
本システムは、拡張アップリンクをサポートしない「レガシー」ＵＥならびに拡張アップリンクをサポートする「新しい」ＵＥの両方をサポートすることができる。従来のランダムアクセスプロシージャを実行するレガシーＵＥと、拡張アップリンクを使用する新しいＵＥとを区別するための機構を使用することができる。１つの設計では、ＰＲＡＣＨに対してランダムアクセスのためのＳ個の利用可能なシグナチャを、レガシーＵＥのために利用可能なＬ個のシグナチャの第１のセットと、新しいＵＥのために利用可能なＭ個のシグナチャの第２のセットとの２つのセットに分割する。ただし、Ｌ、ＭおよびＳはそれぞれ、Ｌ＋Ｍ＝Ｓとなるような任意の適切な値である。シグナチャの一方または両方のセットは、ＵＥにブロードキャストされるか、またはＵＥによって推測的に知られる。Ｓ個の利用可能なシグナチャは、０〜Ｓ−１のインデックスを割り当てられる。
【００４４】
１つの設計では、ＰＲＡＣＨのために利用可能なＳ＝１６個のシグナチャは２つのセットに分割され、各セットは８つのシグナチャを含む。レガシーＵＥは、第１のセット中の８つのシグナチャを従来のランダムアクセスプロシージャのために使用し、新しいＵＥは、第２のセット中の８つのシグナチャを拡張アップリンクのために使用する。ノードＢは、レガシーＵＥからのシグナチャと、新しいＵＥからのシグナチャとを区別する。ノードＢは、各レガシーＵＥのための従来のランダムアクセスプロシージャを実行し、各新しいＵＥのための拡張アップリンクを用いて動作する。第１および第２のセットは、他の個数のシグナチャを含むこともできる。
【００４５】
ＷＣＤＭＡの場合、ＰＲＡＣＨのために利用可能な１６個のシグナチャは、ＡＩＣＨのための１６個のＡＩに関連付けられており、ＡＩsは、ｓ∈｛０，．．．，１５｝として、シグナチャｓに関連付けられる。各ＡＩは、３値であり、＋１、−１、または０に設定される。１６個のＡＩはまた、１６個のＡＩシグナチャパターンに関連付けられる。各ＡＩシグナチャパターンは、異なる３２ビット直交系列である。シグナチャｓのＡＩＣＨ応答は、（ｉ）ＡＩsの値にシグナチャｓのＡＩシグナチャパターンを乗算して、３２ビットシーケンスを得、（ｉｉ）ＡＩＣＨの２５６チップのＯＶＳＦコードを用いて３２ビットシーケンスを拡散して、ＡＩＣＨ応答の４０９６チップのシーケンスを生成することによって生成される。
【００４６】
合計Ｙ個のＥ−ＤＣＨリソース構成が定義され、Ｙは任意の適切な値である。各Ｅ−ＤＣＨリソース構成は、特定のＥ−ＤＣＨリソース、たとえば、Ｅ−ＤＣＨ、Ｅ−ＡＧＣＨ、Ｅ−ＲＧＣＨ、Ｆ−ＤＰＣＨなどの特定のリソースに関連付けられ、Ｙ個のＥ−ＤＣＨリソース構成は、同じまたは異なる伝送容量を有する異なるＥ−ＤＣＨリソース用とすることができる。Ｙ個のＥ−ＤＣＨリソース構成は、ブロードキャストメッセージを介して搬送されるか、または他の方法で新しいＵＥに知らされる。
【００４７】
新しいＵＥは、ＰＲＡＣＨ上の拡張アップリンクのためのシグナチャに基づいて生成されるアクセスプリアンブルを送信する。ノードＢは、アクセスプリアンブルを受信し、新しいＵＥにＥ−ＤＣＨリソース構成を割り当てる。ノードＢは、様々な方式を使用して、割り当てられたＥ−ＤＣＨリソース構成を搬送する。
【００４８】
第１の方式では、割り当てられたＥ−ＤＣＨリソース構成は、１つのＯＶＳＦコードおよび追加のシグナチャパターンを使用してＡＩＣＨを介して搬送される。１つの設計では、拡張アップリンクのためのＰＲＡＣＨのための利用可能なＭ個のシグナチャは、０〜Ｍ−１のインデックスを割り当てられるＭ個のデフォルトＥ−ＤＣＨリソース構成に関連付けられる。Ｙ＜Ｍの場合、Ｍ個未満のＥ−ＤＣＨリソース構成が利用可能であり、複数のシグナチャを同じデフォルトＥ−ＤＣＨリソース構成に関連付けることができる。別の設計では、次のように拡張アップリンクのためのＭ個のシグナチャをデフォルトＥ−ＤＣＨリソース構成に関連付ける。
【００４９】
Ｘ＝ｍ mod Ｙ                                           式（１）
ここで、ｍ∈｛０，．．．，Ｍ−１｝は、拡張アップリンクのためのｍ番目のシグナチャを示し、Ｘは、ｍ番目のシグナチャのデフォルトＥ−ＤＣＨリソース構成インデックスであり、「ｍｏｄ」はモジュロ演算を示す。
【００５０】
Ｙ＞Ｍならば、Ｙ−Ｍ個の非デフォルトＥ−ＤＣＨリソース構成が利用可能であり、Ｍ〜Ｙ−１のインデックスを割り当てられる。（デフォルトＥ−ＤＣＨリソース構成の代わりに）非デフォルトＥ−ＤＣＨリソース構成を新しいＵＥに割り当てることができる。
【００５１】
１つの設計では、デフォルトＥ−ＤＣＨリソース構成の割当ては、ＡＩＣＨ上で送信されるＡＩを介して搬送される。ＡＩsの＋１の値は、シグナチャｓのデフォルトＥ−ＤＣＨリソース構成が新しいＵＥに割り当てられていることを示す。ＡＩsの−１の値は、シグナチャｓのデフォルトＥ−ＤＣＨリソース構成が新しいＵＥに割り当てられていないことを示す。
【００５２】
１つの設計では、非デフォルトＥ−ＤＣＨリソース構成の割当ては、拡張（Enhanced）ＡＩＣＨ（Ｅ−ＡＩＣＨ）上で送信される拡大取得インジケータ（ＥＡＩ）を介して搬送される。各ＥＡＩは、＋１、−１、または０の３値を有する。１つの設計では、１６個のＥＡＩを定義し、１６個のＥＡＩシグナチャならびにＥ−ＡＩＣＨの１６個のＥＡＩシグナチャパターンに関連付け、ＥＡＩs’は、ｓ’∈｛０，．．．，１５｝として、シグナチャｓ’に関連付けられる。Ｅ−ＡＩＣＨのためのＥＡＩシグナチャはｓ’（アポストロフィあり）によって示され、ＰＲＡＣＨのためのシグナチャはｓ（アポストロフィなし）によって示される。各ＥＡＩシグナチャパターンは、異なる３２ビット直交系列である。ＡＩＣＨのための１６個のＡＩシグナチャパターンは、３２個の可能な３２ビット直交系列のうちの１６個を利用することができ、Ｅ−ＡＩＣＨのための１６個のＥＡＩシグナチャパターンは、残りの１６個の３２ビット直交系列を利用することができる。１６個のＥＡＩが利用可能であり、各ＥＡＩが、送信されるときに２つの可能な値のうちの１つを有する場合、３２個の可能なＥ−ＡＩＣＨの値のうちの１つがＥ−ＡＩＣＨ上で送信される。１つのＥ−ＡＩＣＨ値（たとえば、０）を使用して、Ｅ−ＤＣＨリソース構成が割り当てられていないことを示すために否定応答（ＮＡＣＫ）を搬送する。残りの３１個のＥ−ＡＩＣＨ値を使用して、割り当てられたＥ−ＤＣＨリソース構成を搬送する。
【００５３】
１つの設計では、次のように、割り当てられたＥ−ＤＣＨリソース構成を決定するためにオフセットとして、各０でないＥ−ＡＩＣＨ値を使用する。
【００５４】
Ｚ＝（Ｘ ＋ Ｅ-ＡＩＣＨvalue）mod Y                         式（２）
ただし、Ｚは、割り当てられたＥ−ＤＣＨリソース構成インデックスである。
【００５５】
別の設計では、Ｙ−Ｍ個の非デフォルトＥ−ＤＣＨリソース構成に、１〜Ｙ−Ｍのインデックスを割り当てる。それぞれ次のように、１〜Ｙ−Ｍの０でないＥ−ＡＩＣＨ値を使用して、１〜Ｙ−Ｍの非デフォルトＥ−ＤＣＨリソース構成を直接搬送する。
【００５６】
Ｚ ＝ Ｅ-ＡＩＣＨvalue                                     式（３）
非デフォルトＥ−ＤＣＨリソース構成および割り当てられたＥ−ＤＣＨリソース構成は、他の方法で搬送することもできる。
【００５７】
図６に、拡張アップリンクのための新しいＵＥによって実行されるプロセス６００の設計を示す。ＵＥは、拡張アップリンクのためのＰＲＡＣＨのために利用可能なＭ個のシグナチャのセットからシグナチャｓを選択する（ブロック６１２）。ＵＥは、シグナチャｓに基づいてアクセスプリアンブルを生成し（ブロック６１４）、非アクティブ状態にある間、ＰＲＡＣＨ上でアクセスプリアンブルを送信する（ブロック６１６）。ＵＥは、次いで、応答についてＡＩＣＨおよびＥ−ＡＩＣＨを監視することができる。
【００５８】
ＵＥは、ＡＩＣＨからシグナチャｓのＡＩsを受信する（ブロック６１８）。ＵＥは、ＡＩsについて＋１の値が受信されたかどうかを決定する（ブロック６２０）。答えが「はい」である場合、ＵＥは、シグナチャｓに関連付けられるデフォルトＥ−ＤＣＨリソース構成Ｘを使用する（ブロック６２２）。ＡＩsについて＋１の値が受信されなかった場合、ＵＥは、ＡＩsについて−１の値が受信されたかどうかを決定する（ブロック６２４）。答えが「はい」である場合、ＵＥは、Ｅ−ＡＩＣＨからＥＡＩおよびシグナチャｓ’を受信し（ブロック６２６）、（＋１または−１であり得る）ＥＡＩの値と、（０〜１５の範囲内にあることができる）シグナチャｓ’のインデックスとに基づいてＥ−ＡＩＣＨ値を決定する（ブロック６２８）。ＵＥは、次いで、たとえば、式（２）または（３）に示すようにＥ−ＡＩＣＨ値および場合によってはデフォルトＥ−ＤＣＨリソース構成Ｘに基づいて（もしあれば）ＵＥに割り当てられたＥ−ＤＣＨリソース構成を決定する（ブロック６３０）。Ｅ−ＡＩＣＨ値がＮＡＣＫを示す場合、ＵＥは、従来のランダムアクセスプロシージャにおけるＮＡＣＫに対するレガシーＵＥの応答と同様の方法で応答することができる。＋１と−１のいずれもＡＩＣＨ上で受信されなかった場合（ブロック６２０および６２４の「Ｎｏ」）、ＵＥはブロック６１６に戻ってアクセスプリアンブルを再送信する。
【００５９】
Ｅ−ＡＩＣＨ値を検出する１つの設計では、ＵＥは、最初にＥ−ＡＩＣＨのためのＯＶＳＦコードを用いて入力サンプルを逆拡散して、１６個の複素数値逆拡散シンボルを得る。ＵＥは、これらの逆拡散シンボルを１６個の可能な複素数値ＥＡＩシグナチャパターンの各々と相関させる。各複素数値ＥＡＩシグナチャパターンは、１つの３２ビットＥＡＩシグナチャパターン中のビットの各対を複素数値シンボルにマッピングすることによって得られる。ＵＥは、１６個の複素数値ＥＡＩシグナチャパターンのための１６個の相関結果を取得し、最大の相関結果をもつＥＡＩシグナチャパターンをノードＢによって送信されるＥＡＩシグナチャパターンとして選択する。ＵＥは、次いで、最大の相関結果の符号に基づいて＋１または−１の２つの可能な値の間で決定する。ＵＥは、検出されたＥＡＩシグナチャパターンおよび＋１または−１の検出された極性に基づいて送信されるＥ−ＡＩＣＨ値を決定する。
【００６０】
図７に、拡張アップリンクのためのノードＢによって実行されるプロセス７００の設計を示す。ノードＢは、新しいＵＥからシグナチャｓに基づいて生成されたアクセスプリアンブルを受信する（ブロック７１２）。ノードＢは、たとえば、所定のマッピングに基づいてシグナチャｓのためのデフォルトＥ−ＤＣＨリソース構成Ｘを決定する（ブロック７１４）。
【００６１】
ノードＢは、次いで、デフォルトＥ−ＤＣＨリソース構成Ｘが利用可能かどうかを決定する（ブロック７２２）。デフォルトＥ−ＤＣＨリソース構成Ｘが利用可能である場合、ノードＢは、シグナチャｓのためのＡＩsを＋１に設定する（ブロック７２４）。ノードＢは、次いで、ＡＩＣＨ上でＡＩsを送信し（ブロック７２６）、何も送信しないかまたはＥ−ＡＩＣＨ上で不連続送信（ＤＴＸ）を送信する（ブロック７２８）。反対に、デフォルトＥ−ＤＣＨリソース構成Ｘが利用可能でない場合（ブロック７２２の「Ｎｏ」）、ノードＢは、いずれかのＥ−ＤＣＨリソース構成が利用可能かどうかを決定する（ブロック７３２）。答えが「Ｎｏ」である場合、ノードＢは、ＡＩsを−１に設定し（ブロック７３４）、ＡＩＣＨ上でＡＩsを送信し（ブロック７３６）、Ｅ−ＡＩＣＨ上で、新しいＵＥに対するＮＡＣＫを搬送するために０のＥ−ＡＩＣＨ値を送信する（ブロック７３８）。
【００６２】
少なくとも１つのＥ−ＤＣＨリソース構成が利用可能である場合（ブロック７３２の「ＹＥＳ」）、ノードＢは、デフォルトＥ−ＤＣＨリソース構成または非デフォルトＥ−ＤＣＨリソース構成であることができる、利用可能なＥ−ＤＣＨリソース構成Ｚを選択する（ブロック７４０）。ノードＢは、次いで、選択されたＥ−ＤＣＨリソース構成のためのＥ−ＡＩＣＨ値を決定する（ブロック７４２）。式（２）に示す設計では、ノードＢは、選択されたＥ−ＤＣＨリソース構成ＺとデフォルトＥ−ＤＣＨリソース構成Ｘとの間のオフセットを決定する。ノードＢは、次いで、このオフセットに対応するＥ−ＡＩＣＨ値を決定する。式（３）に示す設計では、ノードＢは、直接マッピングに基づいて選択されたＥ−ＤＣＨリソース構成ＺのためのＥ−ＡＩＣＨ値を決定する。両方の設計では、ノードＢは、ＡＩsを−１に設定し（ブロック７４４）、ＡＩＣＨ上でＡＩsを送信し（ブロック７４６）、Ｅ−ＡＩＣＨ上で、新しいＵＥへのＥ−ＤＣＨリソース構成Ｚの割当てを搬送するためにＥ−ＡＩＣＨ値を送信する（ブロック７４８）。
【００６３】
図７に示す設計では、シグナチャｓのＡＩsを次のように設定する。
【００６４】
ＡＩs＝＋１：ＵＥには、シグナチャｓのためのデフォルトＥ−ＤＣＨリソース構成が割り当てられる、または
ＡＩs＝−１：ＵＥは、Ｅ−ＤＣＨリソース割当てのためにＥ−ＡＩＣＨを監視しなければならない。
【００６５】
図７に示す設計では、ＥＡＩ値を次のように設定する。
【００６６】
ＥＡＩ値＝ＤＴＸ：ＵＥにデフォルトＥ−ＤＣＨリソース構成が割り当てられているので、何もＥ−ＡＩＣＨ上で送信されない、
ＥＡＩ値＝０：Ｅ−ＤＣＨリソース構成は割り当てられない、または
ＥＡＩ値＝ｍ：割り当てられたＥ−ＤＣＨリソース構成のためのオフセットまたはインデックス。
【００６７】
ノードＢは、所与のＰＲＡＣＨアクセススロット中で１つまたは複数のＵＥから１つまたは複数のアクセスプリアンブルを受信し、ＡＩＣＨ上で１つまたは複数のＵＥに応答することが可能である。ＡＩシグナチャパターンとＥＡＩシグナチャパターンは互いに直交する。したがってノードＢは、同じＡＩＣＨアクセススロット中で１つまたは複数のＵＥにＡＩＣＨ応答を送信することが可能である。
【００６８】
表３に、レガシーＵＥおよび新しいＵＥに対してＰＲＡＣＨのために利用可能な１６個のシグナチャの例示的な区分を与える。この例では、最初の８つのシグナチャｓ＝０〜７はレガシーＵＥ用に確保され、最後の８つのシグナチャｓ＝８〜１５は新しいＵＥ用に確保される。シグナチャ８〜１５はそれぞれデフォルトＥ−ＤＣＨリソース構成Ｒ０〜Ｒ７に関連付けられ、デフォルトＥ−ＤＣＨリソース構成Ｒ０〜Ｒ７にはそれぞれＥ−ＤＣＨリソース構成インデックスＸ＝０〜７が割り当てられる。
【表３】
2011509607.tif 000006
【００６９】
表４に、Ｅ−ＡＩＣＨ値を、ＥＡＩsとＥ−ＡＩＣＨのためのシグナチャｓ’とにマッピングする設計を示す。この設計では、Ｅ−ＡＩＣＨ値０は、ＮＡＣＫ用に使用され、Ｅ−ＡＩＣＨ上でシグナチャｓ’＝０をもつ＋１のＥＡＩ０を送信することによって得られる。各残りのＥ−ＡＩＣＨ値は、表４に示すように、Ｅ−ＡＩＣＨ上で１６個のシグナチャｓ’のうちの１つをもつ＋１または−１のいずれかのＥＡＩs’を送信することによって得られる。Ｅ−ＡＩＣＨ値ｍは、ｍのオフセットを表す。Ｅ−ＡＩＣＨ値ｍに対応するＥ−ＤＣＨリソース構成インデックスＺは、Ｚ＝（Ｘ＋ｍ） ｍｏｄ Ｙとして求めることができる。
【表４】
2011509607.tif 000007
【００７０】
表４は、Ｅ−ＡＩＣＨ値をＥＡＩsとＥ−ＡＩＣＨのためのシグナチャｓ’とにマッピングする１つの設計を示す。別の設計では、０〜１５のＥ−ＡＩＣＨ値は、それぞれＥＡＩシグナチャ０〜１５をもつＥＡＩ０〜ＥＡＩ１５の＋１を送信することによって得られる。１６〜３１のＥ−ＡＩＣＨ値は、それぞれＥＡＩシグナチャ０〜１５をもつＥＡＩ０〜ＥＡＩ１５の−１を送信することによって得られる。Ｅ−ＡＩＣＨ値は他の方法でもＥＡＩsおよびシグナチャｓ’にマッピングできる。
【００７１】
表３および表４に示す設計の一例として、新しいＵＥは、シグナチャｓ＝１３を選択し、シグナチャ１３を用いてアクセスプリアンブルを生成し、ＰＲＡＣＨ上でアクセスプリアンブルを送信することができる。表３は、シグナチャ１３が、Ｘ＝５のインデックスをもつデフォルトＥ−ＤＣＨリソース構成Ｒ５に関連付けられることを示す。ノードＢは、アクセスプリアンブルを受信し、シグナチャ１３が受信されたことを決定し、Ｒ５が利用可能であるかどうかを確認することができる。Ｒ５が利用可能である場合、ノードＢは、ＡＩＣＨ上でＡＩ１３の＋１を送信し、Ｅ−ＡＩＣＨ上でＤＴＸを送信することができる。Ｒ５が利用可能でない場合、ノードＢは、インデックスＺ＝１７をもつＲ１７が利用可能であるかどうかを決定する。ノードＢは、オフセットをＺ−Ｘ＝１７−５＝１２として求めることができる。ノードＢは、次いで、ＡＩＣＨ上でＡＩ１３の−１を送信し、Ｅ−ＡＩＣＨ上でＥＡＩ６’の＋１を送信して１２のＥ−ＡＩＣＨ値を搬送することができる。
【００７２】
第２の方式では、割り当てられたＥ−ＤＣＨリソース構成は、ＡＩＣＨ用の別個のＯＶＳＦコードを介して搬送される。第１の２５６チップＯＶＳＦコードは、ＰＲＡＣＨ上で受信されるアクセスプリアンブルのためのＡＩをＡＩＣＨ上で送信するのに使用できる。第２の２５６チップＯＶＳＦコードは、新しいＵＥのために割り当てられたＥ−ＤＣＨリソース構成を搬送するのに使用できる。第２のＯＶＳＦコードを使用して最高１６ビットＡ１〜Ａ１６を送信することができ、これらのビットはＥ−ＤＣＨリソース割当て（ＲＡ）ビットと呼ばれることがある。ＡＩおよび割り当てられるＥ−ＤＣＨリソース構成は、様々な方法で、２つのＯＶＳＦコードを使用して送信できる。
【００７３】
１つの設計では、ＰＲＡＣＨのために利用可能な１６個のシグナチャはＡＩＣＨのための１６個のＡＩに関連付けられ、ＡＩsは、ｓ∈｛０，．．．，１５｝として、シグナチャｓに関連付けられる。各ＡＩは、３値であり、＋１、−１、または０に設定される。拡張アップリンクのためのシグナチャｓのＡＩsは次のように設定される。
【００７４】
ＡＩs＝０：シグナチャｓはノードＢによって受信されなかった、
ＡＩs＝＋１：シグナチャｓはノードＢによって受信され、Ｅ−ＤＣＨリソース割当ては、第２のＯＶＳＦコード上のビットＡ１〜Ａ８を使用して送信される、または
ＡＩs＝−１：シグナチャｓはノードＢによって受信され、Ｅ−ＤＣＨリソース割当ては、第２のＯＶＳＦコード上のビットＡ９〜Ａ１６を使用して送信される。
【００７５】
ＲＡビットＡ１〜Ａ８は、＋１のＡＩが第１のＯＶＳＦコード上で送信された新しいＵＥのためのＥ−ＤＣＨリソース割当てを搬送するために使用できる。ＲＡビットＡ９〜Ａ１６は、−１のＡＩが送信された新しいＵＥのためのＥ−ＤＣＨリソース割当てを搬送するのに使用できる。８つのＲＡビットの各セットは、２５６個の可能なＥ−ＡＩＣＨ値のうちの１つを搬送する。１つのＥ−ＡＩＣＨ値（たとえば、０）を使用して、Ｅ−ＤＣＨリソースが割り当てられていないことを示すためにＮＡＣＫを搬送する。別のＥ−ＡＩＣＨ値（たとえば、１）を使用して、ＵＥがＰＲＡＣＨメッセージ送信のためにＲＡＣＨを使用しなければならないことを示す。この場合、ＵＥは、ＰＲＡＣＨプリアンブルとＰＲＡＣＨメッセージ送信との間に定義されたタイミング関係を観測することができる。Ｙ個のＥ−ＡＩＣＨ値は、Ｙ個のＥ−ＤＣＨリソース構成に使用できる。したがって、使用すべきＲＡビットの数は、Ｅ−ＤＣＨリソース構成の数＋追加の２つのＥ−ＡＩＣＨ値に依存することがある。
【００７６】
表５に、４つのＲＡビットを使用してＹ＝８のＥ−ＤＣＨリソース構成を搬送する場合においてＥ−ＡＩＣＨ値をＥ−ＤＣＨリソース構成にマッピングする設計を示す。この設計では、Ｅ−ＡＩＣＨ値０は、ＮＡＣＫ用に使用され、ＲＡビットＡ１〜Ａ４（またはＲＡビットＡ９〜Ａ１２）について−１、−１、−１、および−１を送信することによって得られる。Ｅ−ＡＩＣＨ値１は、ＲＡＣＨを使用しなければならないことを示すために使用され、ＲＡビットＡ１〜Ａ４（またはＲＡビットＡ９〜Ａ１２）について−１、−１、−１、および＋１を送信することによって得られる。各残りのＥ−ＡＩＣＨ値は、表５に示すＲＡビット値を送信することによって得られる。
【表５】
2011509607.tif 000008
【００７７】
表５は、Ｅ−ＡＩＣＨ値をＥ−ＤＣＨリソース構成にマッピングする１つの設計を示す。この設計により、Ｅ−ＤＣＨリソースが割り当てられ、２つのＡＩ値とＲＡビットの２つのセットとを使用して同じＡＩＣＨアクセススロット中で最高２つのＵＥに搬送できるようになる。Ｅ−ＡＩＣＨ値は他の方法でもＥ−ＤＣＨリソース構成にマッピングできる。
【００７８】
上述した両方の方式では、ＵＥによって所望の検出性能が得られるように、ＡＩの送信電力を設定することができる。また、所望の検出性能が得られるように、ＥＡＩまたはＲＡビットの送信電力を設定することができる。第１の方式では、ノードＢは、新しいＵＥからアクセスプリアンブルを受信し、ＵＥにＡＩＣＨ上で１つのＡＩを送信し、場合によってはＥ−ＡＩＣＨ上で１つのＥＡＩを送信する。ＡＩＣＨとＥ−ＡＩＣＨの両方に同じ送信電力レベルを使用する。第２の方式では、ノードＢは、新しいＵＥからアクセスプリアンブルを受信し、第１のＯＶＳＦコードを用いて１つのＡＩを送信し、第２のＯＶＳＦコードを用いて複数のＲＡビットをＵＥに送信する。ＡＩよりもＲＡビットにより多くの送信電力を使用する。
【００７９】
本明細書で説明する技法はいくつかの利点を提供することができる。第１に、各プリアンブルシグナチャに割り当てることができるＥ−ＤＣＨリソース構成の数を、設計のいかなる変更もなしにスケーラブルにする（または容易に増大させる）ことができる。第２に、既存のＡＩＣＨを使用してＥ−ＤＣＨリソース割当てを搬送することができ、それにより既存のノードＢおよびＵＥ機器の再利用が可能になる。さらに、本技法は、アクセスプリアンブルの受信に応答してＡＣＫ／ＮＡＣＫをＵＥに送信する既存の方法を再使用する。第３に、ＡＣＫ／ＮＡＣＫおよびＥ−ＤＣＨリソース割当てをリンク効率的な方法で送信することができる。第４に、Ｅ−ＤＣＨリソースを迅速に割り当てり、ＡＩＣＨ応答中でＡＩとともに搬送できる。第５に、拡張アップリンクのためのプリアンブルシグナチャをＥ−ＤＣＨリソース構成から分離し、それによりスケーラブルな設計をサポートすることができる。第６に、たとえば、表５に示すような特別に定義されたＥ−ＡＩＣＨ値を送信することによって（たとえば、ノードＢがＥ−ＤＣＨリソースを使い果たしたとき）ＲＡＣＨを使用するようにＵＥに命令することができる。本明細書で説明する技法を用いて他の利点を得ることもできる。
【００８０】
図８に、ＵＥによるランダムアクセスを実行するためのプロセス８００の設計を示す。ＵＥは、ランダムアクセスのために利用可能なシグナチャの第１のセットから第１のシグナチャ（たとえば、プリアンブルシグナチャｓ）を選択する（ブロック８１２）。ＵＥは、第１のシグナチャに基づいてアクセスプリアンブルを生成する（ブロック８１４）。ＵＥは、非アクティブ状態、たとえば、ＣＥＬＬ＿ＦＡＣＨ状態またはアイドルモードにおいて動作している間、ランダムアクセスのためにアクセスプリアンブルを送信する（ブロック８１６）。その後、ＵＥは、ノードＢからＡＩＣＨ上で第１のシグナチャのＡＩ（たとえば、ＡＩs）を受信する（ブロック８１８）。ＵＥはまた、ＥＡＩ（たとえば、ＥＡＩs’）と、シグナチャの第２のセットから選択される第２のシグナチャ（たとえば、ＥＡＩシグナチャｓ’）とを受信する（ブロック８２０）。ＵＥは、ＡＩおよび場合によってはＥＡＩ、ならびに第２のシグナチャに基づいてＵＥのための割り当てられるリソースを決定する（ブロック８２２）。ＵＥは、たとえば、非アクティブ状態にある間、割り当てられたリソースを使用してノードＢにデータを送信する（ブロック８２４）。
【００８１】
１つの設計では、ＡＩが第１の所定の値、たとえば、＋１を有する場合、ＵＥは、第１のシグナチャのためのデフォルトリソースを、割り当てられるリソースとして使用する。ＡＩが第２の所定の値、たとえば、−１を有する場合、ＵＥは、ＥＡＩおよび第２のシグナチャに基づいてＵＥのための割り当てられるリソースを決定する。
【００８２】
図９に、ＵＥによるランダムアクセスを実行するための別のプロセス９００の設計を示す。ＵＥは、拡張アップリンクのためのランダムアクセスのために利用可能なシグナチャの第１のセットから第１のシグナチャを選択する（ブロック９１２）。ＵＥは、第１のシグナチャに基づいてアクセスプリアンブルを生成する（ブロック９１４）。ＵＥは、たとえば、ＣＥＬＬ＿ＦＡＣＨ状態またはアイドルモードにおいて動作している間、ランダムアクセスのためにＰＲＡＣＨ上でアクセスプリアンブルを送信する（ブロック９１６）。ＵＥは、ノードＢからＡＩＣＨ上で第１のシグナチャのＡＩを受信する（ブロック９１８）。ＵＥは、ＡＩが第１の所定の値を有する場合、割り当てられるＥ−ＤＣＨリソース構成として第１のシグナチャのためのデフォルトＥ−ＤＣＨリソース構成を使用する（ブロック９２０）。ＵＥはまた、ノードＢからＥＡＩと、シグナチャの第２のセットから選択される第２のシグナチャとを受信する（ブロック９２２）。ＵＥは、ＡＩが第２の所定の値を有する場合、ＥＡＩの値および第２のシグナチャのインデックスに基づいて、ＵＥのための割り当てられたＥ−ＤＣＨリソース構成を決定する（ブロック９２４）。いずれの場合も、ＵＥは、たとえば、ＣＥＬＬ＿ＦＡＣＨ状態またはアイドルモードのままである間、割り当てられたＥ−ＤＣＨリソース構成を使用してノードＢにデータを送信する（ブロック９２６）。
【００８３】
ブロック９２４の１つの設計では、ＵＥは、（ｉ）ＥＡＩの値および第２のシグナチャのインデックスに基づいてオフセットを決定し、（ｉｉ）オフセットおよび第１のシグナチャのためのデフォルトＥ−ＤＣＨリソース構成のインデックスに基づいて割り当てられるＥ−ＤＣＨリソース構成のインデックスを決定する。別の設計では、ＵＥは、ＥＡＩの値および第２のシグナチャのインデックスに基づいて割り当てられるＥ−ＤＣＨリソース構成のインデックスを決定する。また、ＥＡＩが、指定された値（たとえば、＋１）を有し、第２のシグナチャが、指定されたシグナチャ（たとえば、シグナチャ０）である場合、ＵＥは、アクセスプリアンブルのためにＮＡＣＫが送信されたと決定する。
【００８４】
１つの設計では、ＵＥは、シグナチャパターンの第１のセットに基づいてＡＩを検出し、シグナチャパターンの第２のセットに基づいてＥＡＩを検出する。第１のセット中のシグナチャパターンと第２のセット中のシグナチャパターンは互いに直交する。ＡＩおよびＥＡＩは、単一のチャネル化コードを用いて送信される。
【００８５】
図１０に、ノードＢによるランダムアクセスをサポートするためのプロセス１０００の設計を示す。ノードＢはＵＥからアクセスプリアンブルを受信し、そのアクセスプリアンブルは、ランダムアクセスのために利用可能なシグナチャの第１のセットから選択される第１のシグナチャに基づいて生成される（ブロック１０１２）。ノードＢは、アクセスプリアンブルを受信することに応答してＵＥにリソースを割り当てる（ブロック１０１４）。ノードＢは、第１のシグナチャのＡＩを設定し、またＥＡＩを設定し、ＵＥのための割り当てられたリソースに基づいてシグナチャの第２のセットから第２のシグナチャを選択する（ブロック１０１６）。ＡＩは、アクセスプリアンブルの受信を示し、さらにＵＥのための割り当てられたリソースを搬送するのに使用できる。ノードＢは、ＡＩおよび場合によってはＥＡＩ、ならびに第２のシグナチャをＵＥに送信する（ブロック１０１８）。その後、ノードＢは、割り当てられたリソースに基づいてＵＥによって送信されたデータを受信する（ブロック１０２０）。
【００８６】
１つの設計では、デフォルトリソースが利用可能である場合、ノードＢは、第１のシグナチャのためのデフォルトリソースをＵＥに割り当てる。その場合、ノードＢは、ＡＩを、ＵＥに割り当てられているデフォルトリソースを示す第１の所定の値に設定する。１つの設計では、デフォルトリソースが利用可能でない場合、ノードＢは、利用可能なリソースのグループから選択されたリソースを割り当てる。その場合、ノードＢは、選択されたリソースおよび場合によってはデフォルトリソースに基づいてＥＡＩを設定し、第２のシグナチャを選択する。
【００８７】
図１１に、ノードＢによるランダムアクセスをサポートするための別のプロセス１１００の設計を示す。ノードＢは、ＣＥＬＬ＿ＦＡＣＨ状態またはアイドルモードにおいて動作しているＵＥによってＰＲＡＣＨ上で送信されたアクセスプリアンブルを受信し、そのアクセスプリアンブルは、拡張アップリンクのためのランダムアクセスのために利用可能なシグナチャの第１のセットから選択される第１のシグナチャに基づいて生成される（ブロック１１１２）。ノードＢは、第１のシグナチャのためのデフォルトＥ−ＤＣＨリソース構成が利用可能であるかどうかを決定する（ブロック１１１４）。答えが「ＹＥＳ」である場合、ノードＢは、第１のシグナチャのためのデフォルトＥ−ＤＣＨリソース構成をＵＥに割り当てる（ブロック１１１６）。ノードＢは、次いで、第１のシグナチャのためのＡＩを第１の所定の値、たとえば、＋１に設定し（ブロック１１１８）、ＡＩＣＨ上でＡＩをＵＥに送信する（ブロック１１２０）。
【００８８】
さもなければ、デフォルトＥ−ＤＣＨリソース構成が利用可能でない場合（ブロック１１１６の「Ｎｏ」）、ノードＢは、利用可能なＥ−ＤＣＨリソース構成のグループからＥ−ＤＣＨリソース構成を選択する（ブロック１１２２）。ノードＢは、次いで、ＥＡＩの値を決定し、選択されたＥ−ＤＣＨリソース構成および場合によってはデフォルトＥ−ＤＣＨリソース構成に基づいてシグナチャの第２のセットから第２のシグナチャを選択する（ブロック１１２４）。ノードＢは、第１のシグナチャのためのＡＩを、ＵＥに割り当てられている選択されたＥ−ＤＣＨリソース構成を示す第２の所定の値（たとえば、−１）に設定する（ブロック１１２６）。ノードＢは、次いで、ＡＩ、ＥＡＩ、および第２のシグナチャをＵＥに送信する（ブロック１１２８）。その後、ノードＢは、ＵＥに割り当てられたＥ−ＤＣＨリソース構成に基づいてＵＥによって送信されたデータを受信する（ブロック１１３０）。
【００８９】
ブロック１１２４の１つの設計では、ノードＢは、選択されるＥ−ＤＣＨリソース構成のためのインデックスと、デフォルトＥ−ＤＣＨリソース構成のためのインデックスとの間のオフセットを決定する。ノードＢは、次いで、ＥＡＩの値を決定し、オフセットに基づいて第２のシグナチャを選択することができる。別の設計では、ノードＢは、ＥＡＩの値を決定し、直接マッピングを用いて選択されたＥ−ＤＣＨリソース構成のインデックスに基づいて第２のシグナチャを選択することができる。１つの設計では、ノードＢは、第１のシグナチャのためのＡＩを第２の所定の値に設定し、ＥＡＩを指定された値（たとえば、＋１）に設定し、アクセスプリアンブルに対するＮＡＣＫが送信されたことを示すためにシグナチャの第２のセットから指定されたシグナチャ（たとえば、シグナチャ０）を選択することができる。
【００９０】
１つの設計では、ノードＢは、ＡＩにシグナチャパターンの第１のセットからの第１のシグナチャパターンを乗算して第１のシーケンスを取得し、ＥＡＩにシグナチャパターンの第２のセットからの第２のシグナチャパターンを乗算して第２のシーケンスを取得し、第１および第２のシーケンスをＡＩＣＨのための単一のチャネル化コードを用いて拡散する。第１のシグナチャパターンは第１のシグナチャに関連付けられ、第２のシグナチャパターンは第２のシグナチャに関連付けられる。第１のセット中のシグナチャパターンと第２のセット中のシグナチャパターンは互いに直交する。
【００９１】
図１２に、図１のＵＥ１１０、ノードＢ１２０、およびＲＮＣ１３０の設計のブロック図を示す。ＵＥ１１０において、符号器１２１２は、ＵＥ１１０によって送信された情報（たとえば、アクセスプリアンブル、メッセージ、データなど）を受信することができる。符号器１２１２は、情報を処理（たとえば、符号化、およびインターリーブ）してコード化されたデータを得ることができる。変調器（Ｍｏｄ）１２１４は、このコード化されたデータをさらに処理（たとえば、変調、チャネル化、およびスクランブル）し、出力サンプルを供給することができる。送信機（ＴＭＴＲ）１２２２は、出力サンプルを調整（たとえば、アナログに変換、フィルタ処理、増幅、および周波数アップコンバート）し、１つまたは複数のノードＢに送信できるアップリンク信号を生成することができる。ＵＥ１１０はまた、１つまたは複数のノードＢによって送信されたダウンリンク信号を受信することができる。受信機（ＲＣＶＲ）１２２６は、受信された信号を調整（たとえば、フィルタ処理、増幅、周波数ダウンコンバート、およびデジタル化）して、入力サンプルを供給することができる。復調器（Ｄｅｍｏｄ）１２１６は、入力サンプルを処理（たとえば、逆スクランブル、チャネル化、および復調）して、シンボル推定を与えることができる。復号器１２１８は、シンボル推定を処理（たとえば、デインターリーブおよび復号）し、ＵＥ１１０に送信される情報（たとえば、ＡＩs、ＥＡＩs’、シグナチャ、メッセージ、データなど）を提供することができる。符号器１２１２、変調器１２１４、復調器１２１６、および復号器１２１８はモデムプロセッサ１２１０によって実装できる。これらのユニットは、システムによって使用される無線技術（たとえば、ＷＣＤＭＡ）に従って処理を実行することができる。コントローラ／プロセッサ１２３０は、ＵＥ１１０における様々なユニットの動作を指示することができる。コントローラ／プロセッサ１２３０は、図６のプロセス６００、図８のプロセス８００、図９のプロセス９００、および／または本明細書で説明する技法についての他のプロセスを実行または指示することができる。コントローラ／プロセッサ１２３０はまた、図３および図４のＵＥ１１０によって実行されるタスクを実行または指示することができる。メモリ１２３２は、ＵＥ１１０のプログラムコードおよびデータを記憶することができる。
【００９２】
ノードＢ１２０において、送信機／受信機１２３８は、ＵＥ１１０および他のＵＥとの無線通信をサポートすることができる。コントローラ／プロセッサ１２４０は、ＵＥとの通信のための様々な機能を実行することができる。アップリンクでは、ＵＥ１１０からのアップリンク信号は、受信機１２３８によって受信し、調整され、さらにコントローラ／プロセッサ１２４０によって処理されて、ＵＥ１１０によって送信された情報を回復することができる。ダウンリンクでは、情報は、コントローラ／プロセッサ１２４０によって処理され、送信機１２３８によって調整されて、ダウンリンク信号を生成し、ＵＥ１１０および他のＵＥに送信することができる。コントローラ／プロセッサ１２４０は、図７のプロセス７００、図１０のプロセス１０００、図１１のプロセス１１００、および／または本明細書で説明する技法についての他のプロセスを実行または指示することができる。コントローラ／プロセッサ１２４０はまた、図３および図４のノードＢ１２０によって実行されるタスクを実行または指示することができる。メモリ１２４２は、ノードＢ１２０のプログラムコードおよびデータを記憶することができる。通信（Ｃｏｍｍ）ユニット１２４４は、ＲＮＣ１３０および他のネットワークエンティティとの通信をサポートすることができる。
【００９３】
ＲＮＣ１３０において、コントローラ／プロセッサ１２５０は、ＵＥの通信サービスをサポートする様々な機能を実行することができる。コントローラ／プロセッサ１２５０はまた、図３および図４のＲＮＣ１３０によって実行されるタスクを実行または指示することができる。メモリ１２５２は、ＲＮＣ１３０のプログラムコードおよびデータを記憶することができる。通信ユニット１２５４は、ノードＢ１２０および他のネットワークエンティティとの通信をサポートすることができる。
【００９４】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【００９５】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は理解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアで実装するかソフトウェアで実装するかは、システム全体に課せられた特定の適用および設計上の制約に依存する。当業者は、説明した機能を特定の適用例ごとに様々な方法で実装することができるが、そのような実装の決定は、本開示の範囲からの逸脱を生じると解釈すべきではない。
【００９６】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。
【００９７】
本明細書の開示に関連して説明された方法またはアルゴリズムのステップは、ハードウェアで直接実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるように、プロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。
【００９８】
１つまたは複数の例示的な設計では、説明した機能を、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体と、ある場所から別の場所へのコンピュータプログラムの転送を可能にするいかなる媒体をも含む通信媒体との両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線およびマイクロ波などの無線技術を使用してウェブサイト、サーバ、または他のリモートソースから送信される場合、同軸ケーブル、光ファイバケーブル、ツイストペア、ＤＳＬ、または赤外線、無線およびマイクロ波などの無線技術は、媒体の定義に含まれる。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００９９】
本開示の前述の説明は、いかなる当業者でも本開示を作成または使用することができるように提供される。本開示への様々な修正が当業者には容易に理解されるであろうが、本明細書で定義した一般的な原理は、本開示の範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
【図１】
2011509607.tif 000009
【図２】
2011509607.tif 000010
【図３】
2011509607.tif 000011
【図４】
2011509607.tif 000012
【図５】
2011509607.tif 000013
【図６】
2011509607.tif 000014
【図７】
2011509607.tif 000015
【図８】
2011509607.tif 000016
【図９】
2011509607.tif 000017
【図１０】
2011509607.tif 000018
【図１１】
2011509607.tif 000019
【図１２】
2011509607.tif 000020
【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ランダムアクセスに利用可能なシグナチャの第１のセットから第１のシグナチャを選択することと、
前記第１のシグナチャに基づいてアクセスプリアンブルを生成することと、
非アクティブ状態において動作しているユーザ機器（ＵＥ）によるランダムアクセスのための前記アクセスプリアンブルを送信することと、
前記第１のシグナチャのための取得インジケータ（ＡＩ）を取得インジケータチャネル（ＡＩＣＨ）上でノードＢから受信することと、
前記ＡＩに基づいて前記ＵＥのための割り当てられたリソースを決定することと、
前記割り当てられたリソースを使用して前記ノードＢにデータを送信することと、
を備える方法。
【請求項２】
前記割り当てられたリソースを使用して前記ノードＢにデータを送信する間、前記非アクティブ状態のままでいることをさらに備える、請求項１の方法。
【請求項３】
前記非アクティブ状態はＣＥＬＬ＿ＦＡＣＨ状態またはアイドルモードを含む、請求項１の方法。
【請求項４】
前記ＵＥのための割り当てられたリソースを決定することは、
前記第１のシグナチャのためのデフォルトリソースを決定することと、
前記ＡＩが第１の所定値を有する場合、前記デフォルトリソースを前記割り当てられたリソースとして使用することと、
を備える、請求項１の方法。
【請求項５】
前記ＵＥのための割り当てられたリソースを決定することは、
拡大取得インジケータ（ＥＡＩ）およびシグナチャの第２のセットから選択される第２のシグナチャを受信することと、
前記ＡＩが第２の所定値を有する場合、前記ＥＡＩおよび前記第２のシグナチャに基づいて前記ＵＥのための前記割り当てられたリソースを決定することと、
をさらに備える、請求項４の方法。
【請求項６】
前記ＡＩおよび前記ＥＡＩは、単一のチャネル化コードを使用して送信される、請求項５の方法。
【請求項７】
前記ＡＩは第１のチャネル化コードを使用して送信され、前記ＥＡＩは第２のチャネル化コードを使用して送信される、請求項５の方法。
【請求項８】
ワイヤレス通信のための方法であって、
拡張アップリンクのためのランダムアクセスのために利用可能なシグナチャの第１のセットから第１のシグナチャを選択することと、
前記第１のシグナチャに基づいてアクセスプリアンブルを生成することと、
ＣＥＬＬ＿ＦＡＣＨ状態またはアイドルモードにおいて動作しているユーザ機器（ＵＥ）によるランダムアクセスのために前記アクセスプリアンブルを送信することと、
前記第１のシグナチャのための取得インジケータ（ＡＩ）を取得インジケータチャネル（ＡＩＣＨ）上でノードＢから受信することと、
前記ＡＩが第１の所定値を有する場合、前記ＵＥのための割り当てられたＥ−ＤＣＨリソース構成として前記第１のシグナチャのためのデフォルト拡張専用チャネル（Ｅ−ＤＣＨ）リソース構成を使用することと、
前記割り当てられたＥ−ＤＣＨリソース構成を使用して前記ノードＢにデータを送信することと、
を備える方法。
【請求項９】
拡大取得インジケータ（ＥＡＩ）およびシグナチャの第２のセットから選択される第２のシグナチャを受信することと、
前記ＡＩが第２の所定値を有する場合、前記ＥＡＩの値と前記第２のシグナチャのインデックスとに基づいて、前記ＵＥのための前記割り当てられたＥ−ＤＣＨリソース構成を決定することと、
をさらに備える、請求項８の方法。
【請求項１０】
前記割り当てられたＥ−ＤＣＨリソース構成を決定することは、
前記ＥＡＩの前記値および前記第２のシグナチャの前記インデックスに基づいてオフセットを決定することと、
前記オフセットおよび前記第１のシグナチャのための前記デフォルトＥ−ＤＣＨリソース構成のインデックスに基づいて、前記割り当てられたＥ−ＤＣＨリソース構成のインデックスを決定することと、
を備える、請求項９の方法。
【請求項１１】
前記割り当てられたＥ−ＤＣＨリソース構成を決定することは、
前記ＥＡＩの前記値および前記第２のシグナチャの前記インデックスに基づいて前記割り当てられたＥ−ＤＣＨリソース構成のインデックスを決定すること、
を備える、請求項９の方法。
【請求項１２】
少なくとも1つのプロセッサを備えたワイヤレス通信のための装置であって、前記少なくとも１つのプロセッサは、
拡張アップリンクのためのランダムアクセスのために利用可能なシグナチャの第１のセットから第１のシグナチャを選択し、
前記第１のシグナチャに基づいてアクセスプリアンブルを生成し、
ＣＥＬＬ＿ＦＡＣＨ状態またはアイドルモードにおいて動作しているユーザ機器（ＵＥ）によるランダムアクセスのための前記アクセスプリアンブルを送信し、
ノードＢから取得インジケータチャネル（ＡＩＣＨ）上で前記第１のシグナチャのための取得インジケータ（ＡＩ）を受信し、
前記ＡＩが第１の所定値を有する場合、前記ＵＥのための割り当てられたＥ−ＤＣＨリソース構成として、前記第１のシグナチャのためのデフォルト拡張専用チャネル（Ｅ−ＤＣＨ）リソース構成を使用し、
前記割り当てられたＥ−ＤＣＨリソース構成を使用して前記ノードＢにデータを送信する、装置。
【請求項１３】
前記少なくとも１つのプロセッサは、
拡大取得インジケータ（ＥＡＩ）およびシグナチャの第２のセットから選択される第２のシグナチャを受信し、
前記ＡＩが第２の所定値を有する場合、前記ＥＡＩの値および前記第２のシグナチャのインデックスに基づいて前記ＵＥのための前記割り当てられたＥ−ＤＣＨリソース構成を決定する、
請求項１２の装置。
【請求項１４】
前記少なくとも１つのプロセッサは、
前記ＥＡＩの前記値および前記第２のシグナチャの前記インデックスに基づいてオフセットを決定し、
前記オフセットおよび前記第１のシグナチャのための前記デフォルトＥ−ＤＣＨリソース構成のインデックスに基づいて前記割り当てられたＥ−ＤＣＨリソース構成のインデックスを決定する、
請求項１３の装置。
【請求項１５】
前記少なくとも１つのプロセッサは、
拡大取得インジケータ（ＥＡＩ）およびシグナチャの第２のセットから選択される第２のシグナチャを受信し、
前記ＡＩが第２の所定値を有し、前記ＥＡＩが指定された値を有し、前記第２のシグナチャが指定されたシグナチャである場合、前記アクセスプリアンブルに対し否定応答（ＮＡＣＫ）が送信されたと決定する、
請求項１２の装置。
【請求項１６】
ワイヤレス通信のための装置であって、
拡張アップリンクのためのランダムアクセスに利用可能なシグナチャの第１のセットから第１のシグナチャを選択する手段と、
前記第１のシグナチャに基づいてアクセスプリアンブルを生成する手段と、
ＣＥＬＬ＿ＦＡＣＨ状態またはアイドルモードにおいて動作しているユーザ機器（ＵＥ）によるランダムアクセスのための前記アクセスプリアンブルを送信する手段と、
ノードＢから取得インジケータチャネル（ＡＩＣＨ）上で前記第１のシグナチャのための取得インジケータ（ＡＩ）を受信する手段と、
前記ＡＩが第１の所定の値を有する場合、前記ＵＥのために割り当てられるＥ−ＤＣＨリソース構成として前記第１のシグナチャのためのデフォルト拡張専用チャネル（Ｅ−ＤＣＨ）リソース構成を使用する手段と、
前記割り当てられたＥ−ＤＣＨリソース構成を使用して前記ノードＢにデータを送信する手段と、
を備える装置。
【請求項１７】
拡大取得インジケータ（ＥＡＩ）およびシグナチャの第２のセットから選択される第２のシグナチャを受信する手段と、
前記ＡＩが第２の所定値を有する場合、前記ＥＡＩの値および前記第２のシグナチャのインデックスに基づいて前記ＵＥのための前記割り当てられたＥ−ＤＣＨリソース構成を決定する手段と、
をさらに備える、請求項１６の装置。
【請求項１８】
前記割り当てられたＥ−ＤＣＨリソース構成を決定する手段は、
前記ＥＡＩの前記値と前記第２のシグナチャの前記インデックスとに基づいてオフセットを決定する手段と、
前記オフセットと前記第１のシグナチャのための前記デフォルトＥ−ＤＣＨリソース構成のインデックスとに基づいて前記割り当てられたＥ−ＤＣＨリソース構成のインデックスを決定する手段と、
を備える、請求項１７の装置。
【請求項１９】
拡大取得インジケータ（ＥＡＩ）とシグナチャの第２のセットから選択される第２のシグナチャとを受信する手段と、
前記ＡＩが第２の所定値を有し、前記ＥＡＩが指定された値を有し、前記第２のシグナチャが指定されたシグナチャである場合、前記アクセスプリアンブルに対し否定応答（ＮＡＣＫ）が送信されたと決定する手段と、
をさらに備える、請求項１６の装置。
【請求項２０】
コンピュータ読み取り可能媒体を含むコンピュータプログラム製品であって、
前記コンピュータ読み取り可能媒体は、
少なくとも１つのコンピュータに、拡張アップリンクのためのランダムアクセスのために利用可能なシグナチャの第１のセットから第１のシグナチャを選択させるコードと、
前記少なくとも１つのコンピュータに、前記第１のシグナチャに基づいてアクセスプリアンブルを生成させるコードと、
前記少なくとも１つのコンピュータに、ＣＥＬＬ＿ＦＡＣＨ状態またはアイドルモードにおいて動作しているユーザ機器（ＵＥ）によるランダムアクセスのための前記アクセスプリアンブルを送信させるコードと、
前記少なくとも１つのコンピュータに、前記第１のシグナチャのための取得インジケータ（ＡＩ）を取得インジケータチャネル（ＡＩＣＨ）上でノードＢから受信させるコードと、
前記少なくとも１つのコンピュータに、前記ＡＩが第１の所定値を有する場合、前記ＵＥのための割り当てられたＥ−ＤＣＨリソース構成として前記第１のシグナチャのためのデフォルト拡張専用チャネル（Ｅ−ＤＣＨ）リソース構成を使用させるコードと、
前記少なくとも１つのコンピュータに、前記割り当てられたＥ−ＤＣＨリソース構成を使用して前記ノードＢにデータを送信させるコードと、
を含む、コンピュータプログラム製品。
【請求項２１】
ワイヤレス通信のための方法であって、
ユーザ機器（ＵＥ）からアクセスプリアンブルを受信すること、前記アクセスプリアンブルは、ランダムアクセスのために利用可能なシグナチャの第１のセットから選択される第１のシグナチャに基づいて生成される、
前記アクセスプリアンブルを受信することに応答して前記ＵＥにリソースを割り当てること、
前記第１のシグナチャのための取得インジケータ（ＡＩ）を、前記アクセスプリアンブルの受信を示す値に設定すること、前記ＡＩの前記値は、さらに、前記ＵＥのための前記割り当てられたリソースを決定するために使用される、
前記ＡＩを取得インジケータチャネル（ＡＩＣＨ）上で前記ＵＥに送信すること、
前記割り当てられたリソースに基づいて前記ＵＥによって送信されたデータを受信すること、
を備える方法。
【請求項２２】
前記ＵＥにリソースを割り当てることは、前記デフォルトリソースが利用可能である場合、前記ＵＥに前記第１のシグナチャのためのデフォルトリソースを割り当てること、を備え、
前記ＡＩを設定することは、前記ＡＩを、前記デフォルトリソースが前記ＵＥに割り当てられていること示す第１の所定値に設定することを備える、
請求項２１の方法。
【請求項２３】
前記ＵＥにリソースを割り当てることは、前記デフォルトリソースが利用可能でない場合、利用可能なリソースのグループから選択されるリソースを割り当てることをさらに備え、
前記方法は、さらに、
拡大取得インジケータ（ＥＡＩ）を決定すること、および前記選択されたリソースおよび前記デフォルトリソースに基づいてシグナチャの第２のセットから第２のシグナチャを選択することと、
前記ＥＡＩおよび前記第２のシグナチャを前記ＵＥに送信することと、
を備える、請求項２２の方法。
【請求項２４】
ワイヤレス通信のための方法であって、
ＣＥＬＬ＿ＦＡＣＨ状態またはアイドルモードにおいて動作しているユーザ機器（ＵＥ）からアクセスプリアンブルを受信すること、前記アクセスプリアンブルは、拡張アップリンクのためのランダムアクセスのために利用可能なシグナチャの第１のセットから選択される第１のシグナチャに基づいて生成される、
前記第１のシグナチャのためのデフォルト拡張専用チャネル（Ｅ−ＤＣＨ）リソース構成が前記ＵＥに割り当てられている場合、前記第１のシグナチャのための取得インジケータ（ＡＩ）を第１の所定値に設定すること、
前記ＡＩを取得インジケータチャネル（ＡＩＣＨ）上で前記ＵＥに送信すること、
前記ＵＥに割り当てられた前記Ｅ−ＤＣＨリソース構成に基づいて前記ＵＥによって送信されたデータを受信すること、
を備える方法。
【請求項２５】
前記デフォルトＥ−ＤＣＨリソース構成が利用可能でない場合、
利用可能なＥ−ＤＣＨリソース構成のグループからＥ−ＤＣＨリソース構成を選択すること、
拡大取得インジケータ（ＥＡＩ）の値を決定すること、および、前記選択されたＥ−ＤＣＨリソース構成に基づいてシグナチャの第２のセットから第２のシグナチャを選択すること、
前記第１のシグナチャのための前記ＡＩを、前記選択されたＥ−ＤＣＨリソース構成は前記ＵＥに割り当てられていることを示す第２の所定値に設定すること、
前記ＥＡＩおよび前記第２のシグナチャを前記ＵＥに送信すること、
をさらに備える、請求項２４の方法。
【請求項２６】
前記ＥＡＩの前記値を決定すること、および、前記第２のシグナチャを選択することは、
前記選択されたＥ−ＤＣＨリソース構成のためのインデックスと、前記デフォルトＥ−ＤＣＨリソース構成のためのインデックスとの間のオフセットを決定すること、
前記ＥＡＩの前記値を決定すること、および、前記オフセットに基づいて前記第２のシグナチャを選択すること、
を備える、請求項２５の方法。
【請求項２７】
前記ＥＡＩの前記値を決定すること、および、前記第２のシグナチャを前記選択することは、
前記ＥＡＩの前記値を決定すること、および、前記選択されたＥ−ＤＣＨリソース構成のインデックスに基づいて前記第２のシグナチャを選択すること、
を備える、請求項２５の方法。
【請求項２８】
少なくとも１つのプロセッサを備える、ワイヤレス通信のための装置であって、
前記少なくとも１つのプロセッサは、
ＣＥＬＬ＿ＦＡＣＨ状態またはアイドルモードにおいて動作しているユーザ機器（ＵＥ）からアクセスプリアンブルを受信し、前記アクセスプリアンブルは、拡張アップリンクのためのランダムアクセスのために利用可能なシグナチャの第１のセットから選択される第１のシグナチャに基づいて生成され、
前記第１のシグナチャのためのデフォルト拡張専用チャネル（Ｅ−ＤＣＨ）リソース構成が前記ＵＥに割り当てられている場合、前記第１のシグナチャのための取得インジケータ（ＡＩ）を第１の所定値に設定し、
前記ＡＩを取得インジケータチャネル（ＡＩＣＨ）上で前記ＵＥに送信し、
前記ＵＥに割り当てられた前記Ｅ−ＤＣＨリソース構成に基づいて前記ＵＥによって送信されたデータを受信する、
装置。
【請求項２９】
前記少なくとも１つのプロセッサは、
前記デフォルトＥ−ＤＣＨリソース構成が利用可能でない場合、利用可能なＥ−ＤＣＨリソース構成のグループからＥ−ＤＣＨリソース構成を選択し、
拡大取得インジケータ（ＥＡＩ）の値を決定し、前記選択されたＥ−ＤＣＨリソース構成に基づいてシグナチャの第２のセットから第２のシグナチャを選択し、
前記選択されたＥ−ＤＣＨリソース構成が前記ＵＥに割り当てられていることを示すために、前記第１のシグナチャのための前記ＡＩを第２の所定の値に設定し、
前記ＥＡＩおよび前記第２のシグナチャを前記ＵＥに送信する、
請求項２８の装置。
【請求項３０】
前記少なくとも１つのプロセッサは、
前記選択されたＥ−ＤＣＨリソース構成のためのインデックスと前記デフォルトＥ−ＤＣＨリソース構成のためのインデックスとの間のオフセットを決定し、
前記ＥＡＩの前記値を決定し、前記オフセットに基づいて前記第２のシグナチャを選択する
請求項２９の装置。
【請求項３１】
前記少なくとも１つのプロセッサは、
前記第１のシグナチャのための前記ＡＩを、第２の所定の値に設定し、
拡大取得インジケータ（ＥＡＩ）を指定された値に設定し、
前記アクセスプリアンブルに対し否定応答（ＮＡＣＫ）が送信されたことを示すために、シグナチャの第２のセットから指定されたシグナチャを選択し、
前記ＥＡＩおよび前記指定されたシグナチャを前記ＵＥに送信する、
請求項２８の装置。
【請求項３２】
ワイヤレス通信のための装置であって、
ＣＥＬＬ＿ＦＡＣＨ状態またはアイドルモードにおいて動作しているユーザ機器（ＵＥ）からアクセスプリアンブルを受信する手段、前記アクセスプリアンブルは、拡張アップリンクのためのランダムアクセスのために利用可能なシグナチャの第１のセットから選択される第１のシグナチャに基づいて生成される、
前記第１のシグナチャのためのデフォルト拡張専用チャネル（Ｅ−ＤＣＨ）リソース構成が前記ＵＥに割り当てられている場合、前記第１のシグナチャのための取得インジケータ（ＡＩ）を第１の所定値に設定する手段、
前記ＡＩを取得インジケータチャネル（ＡＩＣＨ）上で前記ＵＥに送信する手段、
前記ＵＥに割り当てられた前記Ｅ−ＤＣＨリソース構成に基づいて前記ＵＥによって送信されたデータを受信する手段、
を備える装置。
【請求項３３】
前記デフォルトＥ−ＤＣＨリソース構成が利用可能でない場合、利用可能なＥ−ＤＣＨリソース構成のグループからＥ−ＤＣＨリソース構成を選択する手段、
拡大取得インジケータ（ＥＡＩ）の値を決定し、前記選択されたＥ−ＤＣＨリソース構成に基づいてシグナチャの第２のセットから第２のシグナチャを選択する手段、
前記選択されたＥ−ＤＣＨリソース構成が前記ＵＥに割り当てられていることを示すために、前記第１のシグナチャのための前記ＡＩを第２の所定値に設定する手段、
前記ＥＡＩおよび前記第２のシグナチャを前記ＵＥに送信する手段、
をさらに備える、請求項３２の装置。
【請求項３４】
前記ＥＡＩの前記値を決定し、前記第２のシグナチャを選択する手段は、
前記選択されたＥ−ＤＣＨリソース構成のためのインデックスと前記デフォルトＥ−ＤＣＨリソース構成のためのインデックスとの間のオフセットを決定する手段、
前記ＥＡＩの前記値を決定し、前記オフセットに基づいて前記第２のシグナチャを選択する手段、
を備える、請求項３３の装置。
【請求項３５】
前記第１のシグナチャのための前記ＡＩを第２の所定値に設定し、拡大取得インジケータ（ＥＡＩ）を指定された値に設定し、前記アクセスプリアンブルに対し否定応答（ＮＡＣＫ）が送信されたことを示すために、シグナチャの第２のセットから指定されたシグナチャを選択する手段、
前記ＥＡＩおよび前記指定されたシグナチャを前記ＵＥに送信する手段、
をさらに備える、請求項３２の装置。
【請求項３６】
コンピュータ読み取り可能媒体を含むコンピュータプログラム製品であって、
前記コンピュータ読み取り可能媒体は、
少なくとも１つのコンピュータに、ＣＥＬＬ＿ＦＡＣＨ状態またはアイドルモードにおいて動作しているユーザ機器（ＵＥ）からアクセスプリアンブルを受信させるコード、前記アクセスプリアンブルは、拡張アップリンクのためのランダムアクセスのために利用可能なシグナチャの第１のセットから選択される第１のシグナチャに基づいて生成される、
前記少なくとも１つのコンピュータに、前記第１のシグナチャのためのデフォルト拡張専用チャネル（Ｅ−ＤＣＨ）リソース構成が前記ＵＥに割り当てられている場合、前記第１のシグナチャのための取得インジケータ（ＡＩ）を第１の所定値に設定させるコード、
前記少なくとも１つのコンピュータに、取得インジケータチャネル（ＡＩＣＨ）上で前記ＡＩを前記ＵＥに送信させるコード、
前記少なくとも１つのコンピュータに、前記ＵＥに割り当てられた前記Ｅ−ＤＣＨリソース構成に基づいて前記ＵＥによって送信されたデータを受信させるコード、
を備える、コンピュータプログラム製品。
【国際調査報告】
2011509607.tif 000021
2011509607.tif 000022
2011509607.tif 000023